(57)【特許請求の範囲】
【請求項１】
エンドキャップバイパスプラグ（１０）であって、
上面（１２ａ）と、下面（１２ｂ）と、前記上面（１２ａ）と前記下面（１２ｂ）とを接合する外側面（１２ｃ）とを有する本体（１２）であって、中心軸（Ａ−Ａ）が、前記本体（１２）の軸の中心（Ｃ12）を通って延びる、本体と、
前記本体（１２）の前記上面（１２ａ）に接続され、かつ、第１の長さで前記上面（１２ａ）から離れるように延びる第１の複数の脚部材（１４）であって、前記第１の複数の脚部材（１４）の近接した脚部材（１４ａ1〜１４ａ4）が、第１の距離（Ｄ14）だけ離間され、それにより、それらの間に複数の第１の半径方向流体流路（ＦR）を画定する複数の半径方向通路（３８）を形成する、第１の複数の脚部材と、
前記本体の前記下面に接続され、かつ、前記第１の長さと同じ第２の長さで前記下面から離れるように延びる、第２の複数の脚部材と、を備え、
前記第２の複数の脚部材の幾何学形状及び配置は前記第１の複数の脚部材の幾何学形状及び配置と同一である、
ことを特徴とする、エンドキャップバイパスプラグ（１０）。
【請求項２】
前記第１の複数の脚部材（１４）の各脚部材（１４ａ1〜１４ａ4）が、頭部（２２）と幹部（１６）と、を有し、前記頭部（２２）は上面（２４）を有し、
前記頭部（２２）が、前記頭部（２２）から半径方向に外向きに延びる鼻部（２６）を有し、前記鼻部（２６）が、傾斜面（２８）および下面（３０）を有し、前記鼻部（２６）の前記傾斜面（２８）が、前記頭部（２２）の前記上面（２４）に接続されて上縁（３２）を画定し、前記鼻部（２６）の前記傾斜面（２８）が、前記鼻部（２６）の前記下面（３０）に接続されて下縁（３４）を画定し、
前記幹部（１６）が、前記本体（１２）の前記上面（１２ａ）から軸方向に離れるように延び、かつ、凹形の内向面（１８）を有する、請求項１に記載のエンドキャップバイパスプラグ（１０、１０’）。
【請求項３】
前記幹部（１６、１６’）が、外向面（２０、２０’）を有し、
前記内向面（１８、１８’）が、第１の半径方向距離（ｄ18、ｄ18’）で前記中心軸（Ａ−Ａ）から離間され、前記外向面（２０、２０’）が、前記第１の半径方向距離（ｄ18
、ｄ18’）よりも大きい第２の半径方向距離（ｄ20、ｄ20’）で、前記中心軸（Ａ−Ａ）から離間されて、弓形幾何学形状を含むように前記幹部（１６、１６’）を画定し、
前記第１の複数の脚部材（１４、１４’）の対向する脚部材（１４ａ1〜１４ａ4、１４ａ1’〜１４ａ4’）が、
前記第１の複数の脚部材（１４、１４’）の各脚部材（１４ａ1〜１４ａ4、１４ａ1’〜１４ａ4’）の前記幹部（１６、１６’）の前記内向面（１８、１８’）が、第１の直径（Ｄ18、Ｄ18’）を形成し、
前記第１の複数の脚部材（１４、１４’）の各脚部材（１４ａ1〜１４ａ4、１４ａ1’〜１４ａ4’）の前記幹部（１６、１６’）の前記外向面（２０、２０’）が、前記第１の直径（Ｄ18、Ｄ18’）よりも大きい第２の直径（Ｄ20、Ｄ20’）を形成するように、前記中心軸（Ａ−Ａ）を中心に円形配向で配置される、請求項２に記載のエンドキャップバイパスプラグ（１０、１０’）。
【請求項４】
前記第１の複数の脚部材（１４、１４’）の各脚部材（１４ａ1〜１４ａ4、１４ａ1’〜１４ａ4’）の前記上縁（３２、３２’）が第３の直径（Ｄ32、Ｄ32’）を形成するように、前記第１の複数の脚部材（１４、１４’）の各脚部材（１４ａ1〜１４ａ4、１４ａ1’〜１４ａ4’）の前記上縁（３２、３２’）が、第３の半径方向距離（ｄ32、ｄ32’）で前記中心軸（Ａ−Ａ）から離間され、
前記第１の複数の脚部材（１４、１４’）の各脚部材（１４ａ1〜１４ａ4、１４ａ1’〜１４ａ4’）の前記下縁（３４、３４’）が第４の直径（Ｄ34、Ｄ34’）を形成するように、前記第１の複数の脚部材（１４、１４’）の各脚部材（１４ａ1〜１４ａ4、１４ａ1’〜１４ａ4’）の前記下縁（３４、３４’）が、第４の半径方向距離（ｄ34、ｄ34’）で前記中心軸（Ａ−Ａ）から離間され、
前記第４の直径（Ｄ34、Ｄ34’）が、前記第３の直径（Ｄ32、Ｄ32’）よりも大きく、弓形幾何学形状を有するように前記第１の複数の脚部材（１４、１４’）の各脚部材（１４ａ1〜１４ａ4、１４ａ1’〜１４ａ4’）の前記傾斜面（２８、２８’）を画定する、請求項３に記載のエンドキャップバイパスプラグ（１０、１０’）。
【請求項５】
前記本体（１２、１２’）が、第５の直径（Ｄ12、Ｄ12’）を形成するように、前記本体（１２、１２’）の前記外側面（１２ｃ、１２ｃ’）が、第５の半径方向距離（ｄ12、ｄ12’）で前記中心軸（Ａ−Ａ）から離間され、前記第５の直径（Ｄ12、Ｄ12’）が、前記第４の直径（Ｄ34、Ｄ34’）よりも大きい、請求項４に記載のエンドキャップバイパスプラグ（１０、１０’）。
【請求項６】
前記鼻部（２６、２６’、２６’’）の前記傾斜面（２８、２８’、２８’’）が、ある角度（θ、θ’、θ’’）で前記頭部（２２、２２’、２２’’）の前記上面（２４、２４’、２４’’）に接続され、前記角度（θ、θ’、θ’’）が、１２０度に等しい、請求項２に記載のエンドキャップバイパスプラグ（１０、１０’、１０’’）。
【請求項７】
前記本体（１２、１２’、１２’’）の前記上面（１２ａ、１２ａ’、１２ａ’’）から軸方向に離れるように延びる密封部材（３６）をさらに備える、請求項１に記載のエンドキャップバイパスプラグ（１０、１０’、１０’’）。
【請求項８】
エンドキャップアセンブリ（１００）であって、
上面（１０４ａ）と、下面（１０４ｂ）と、前記上面（１０４ａ）と前記下面１０４ｂとを接合する外側面（１０４ｃ）と、を有する環状本体（１０４）を有するエンドキャップ（１０２ａ）であって、前記エンドキャップ（１０２ａ）が、前記環状の本体（１０４）の厚さ（Ｔ104）を通って延びる軸路（１０６）を形成し、前記軸路（１０６）が、軸方向流体流路（ＦA）を画定し、前記軸路（１０６）へのアクセスが、前記環状本体（１０４）の前記上面（１０４ａ）によって形成される上部開口部（１０８ａ）と、前記環状の本体（１０４）の前記下面（１０４ｂ）によって形成される下部開口部（１０８ｂ）と、によって提供される、エンドキャップ（１０２ａ）と、
エンドキャップバイパスプラグ（１０）であって、上面（１２ａ）と、下面（１２ｂ）と、前記上面（１２ａ）と前記下面（１２ｂ）とを接合する外側面（１２ｃ）とを有する本体（１２）を有し、中心軸（Ａ−Ａ）が、前記本体（１２）の軸の中心（Ｃ12）を通って延び、さらに、前記本体（１２）の前記上面（１２ａ）に接続され、かつ、第１の長さで前記上面（１２ａ）から離れるように延びる第１の複数の脚部材（１４）と、前記本体の前記下面に接続され、かつ、前記第１の長さと同じ第２の長さで前記下面から離れるように延びる、第２の複数の脚部材と、を有し、前記第２の複数の脚部材の幾何学形状及び配置は前記第１の複数の脚部材の幾何学形状及び配置と同一である、エンドキャップバイパスプラグ（１０）と、を有し、
前記第１および第２の複数の脚部材（１４）が、
密封配向と、
非密封配向と、のうちの一方で前記エンドキャップ（１０２ａ）に移動可能に接続されるように構成され、
前記第１の複数の脚部材が、前記非密封配向で前記軸路（１０６）内に移動可能に配置されるときに、流体（Ｆ）が、前記エンドキャップ（１０２ａ）の前記上面（１０４ａ）から前記エンドキャップ（１０２ａ）の前記下面（１０４ｂ）を超えて前記軸路（１０６）内を流れ、前記第１の複数の脚部材が、前記密封配向で前記軸路（１０６）内に移動可能に配置されるときに、前記流体（Ｆ）が、前記エンドキャップ（１０２ａ）の前記上面（１０４ａ）から前記エンドキャップ（１０２ａ）の前記下面（１０４ｂ）を超えて前記軸路（１０６）内を流れることが阻止される、エンドキャップアセンブリ（１００）。
【請求項９】
前記エンドキャップバイパスプラグ（１０、１０’、１０’’）が、複数の半径方向流体流路（ＦR）を画定する複数の半径方向通路（３８、３８’、３８’’）を形成し、
前記エンドキャップバイパスプラグ（１０、１０’、１０’’）が、前記軸路（１０６）内に前記非密封配向で移動可能に配置されるとき、前記エンドキャップバイパスプラグ（１０、１０’、１０’’）の前記複数の半径方向通路（３８、３８’、３８’’）が、前記軸方向流体流路（ＦA）を画定する前記エンドキャップ（１０２ａ）の前記軸路（１０６）と協働して、少なくとも１つの流体流バイパス通路（１１０）を形成し、
前記エンドキャップバイパスプラグ（１０、１０’、１０’’）が、前記軸路（１０６）内に前記非密封配向で移動可能に配置されるとき、前記流体（Ｆ）が、前記少なくとも１つの流体流バイパス通路（１１０）を流れる、請求項８に記載のエンドキャップアセンブリ（１００）。
【請求項１０】
フィルタアセンブリ（２００）であって、
上端（２０２ａ）と、下端（２０２ｂ）と、外面（２０６）と、内面（２０４）と、を有する、フィルタ媒体（２０２）と、
上部エンドキャップ（１０２ａ）と、エンドキャップバイパスプラグ（１０）とを有するエンドキャップアセンブリ（１００）と、を有し、
前記エンドキャップバイパスプラグ（１０）は、上面（１２ａ）と、下面（１２ｂ）と、前記上面（１２ａ）と前記下面（１２ｂ）とを接合する外側面（１２ｃ）とを有する本体（１２）であって、中心軸（Ａ−Ａ）が、前記本体（１２）の軸の中心（Ｃ12）を通って延びる、本体と、
前記本体（１２）の前記上面（１２ａ）に接続され、かつ、前記上面（１２ａ）から離れるように延びる第１の複数の脚部材（１４）と、
前記本体（１２）の前記下面に接続され、かつ、前記下面から離れるように延びる第２の複数の脚部材と、を有し、
前記第１の複数の脚部材（１４）の各脚部材（１４ａ1〜１４ａ4）が、頭部（２２）と、前記頭部（２２）に結合される幹部（１６）と、を有し、前記頭部（２２）が、前記頭部（２２）から半径方向に外向きに延びる鼻部（２６）を有し、前記幹部（１６）が、前記本体（１２）の前記上面（１２ａ）から軸方向に離れるように延び、
前記エンドキャップバイパスプラグ（１０）が、
密封配向と、
非密封配向と、のうちの一方で、前記エンドキャップ（１０２ａ）に移動可能に接続され、
前記上部エンドキャップ（１０２ａ）が、前記フィルタ媒体（２０２）の前記上端（２０２ａ）に近接して配設され、
下部エンドキャップ（１０２ｂ）が、前記フィルタ媒体（２０２）の前記下端（２０２ｂ）に近接して配設され、
前記第１の複数の脚部材の長さ、幾何学形状及び配置と前記第２の複数の脚部材の長さ、幾何学形状及び配置とが前記本体に対して対称である、フィルタアセンブリ（２００）。
【請求項１１】
前記上部エンドキャップ（１０２ａ）が、上面（１０４ａ）と、下面（１０４ｂ）と、前記上面（１０４ａ）と前記下面（１０４ｂ）とを接合する外側面（１０４ｃ）と、を有する環状の本体（１０４）を有し、前記上部エンドキャップ（１０２ａ）が、前記環状の本体（１０４）の厚さ（Ｔ104）を通って延びる軸路（１０６）を形成し、前記軸路（１０６）が、軸方向流体流路（ＦA）を画定し、前記軸路（１０６）へのアクセスが、前記環状の本体（１０４）の前記上面（１０４ａ）によって形成される上部開口部（１０８ａ）と、前記環状本体（１０４）の前記下面（１０４ｂ）によって形成される下部開口部（１０８ｂ）と、によって提供され、前記エンドキャップバイパスプラグ（１０、１０’、１０’’）が、前記密封配向および前記非密封配向のうちの一方で前記上部エンドキャップ（１０２ａ）と移動可能に接続されるように、前記エンドキャップバイパスプラグ（１
０、１０’、１０’’）が、前記軸路（１０６）内に移動可能に配置される、請求項１０に記載のフィルタアセンブリ（２００）。
【請求項１２】
前記エンドキャップバイパスプラグ（１０、１０’、１０’’）が、前記軸路（１０６）内に前記非密封配向で移動可能に配置されるときに、流体（Ｆ）が、前記上部エンドキャップ（１０２ａ）の前記上面（１０４ａ）から前記上部エンドキャップ（１０２ａ）の前記下面（１０４ｂ）を超えて前記軸路（１０６）内を流れ、前記エンドキャップバイパスプラグ（１０、１０’、１０’’）が、前記軸路（１０６）内に前記密封配向で移動可能に配置されるときに、前記流体（Ｆ）が、前記上部エンドキャップ（１０２ａ）の前記上面（１０４ａ）から前記上部エンドキャップ（１０２ａ）の前記下面（１０４ｂ）を超えて前記軸路（１０６）内を流れることが阻止される、請求項１１に記載のフィルタアセンブリ（２００）。
【請求項１３】
前記エンドキャップバイパスプラグ（１０、１０’、１０’’）が、複数の半径方向流体流路（ＦR）を画定する複数の半径方向通路（３８、３８’、３８’’）を形成し、
前記エンドキャップバイパスプラグ（１０、１０’、１０’’）が、前記軸路（１０６）内に前記非密封配向で移動可能に配置されるとき、前記エンドキャップバイパスプラグ（１０、１０’、１０’’）の前記複数の半径方向通路（３８、３８’、３８’’）が、前記軸方向流体流路（ＦA）を画定する前記上部エンドキャップ（１０２ａ）の前記軸路（１０６）と協働して、少なくとも１つの流体流バイパス通路（１１０）を形成し、
前記エンドキャップバイパスプラグ（１０、１０’、１０’’）が、前記軸路（１０６）内に前記非密封配向で移動可能に配置されるとき、前記流体（Ｆ）が、前記少なくとも１つの流体流バイパス通路（１１０）内を流れる、請求項１２に記載のフィルタアセンブリ（２００）。
【請求項１４】
エンドキャップアセンブリ（１００）を有するフィルタアセンブリ（２００）を提供するステップであって、前記エンドキャップアセンブリ（１００）が、エンドキャップ（１０２ａ）と、エンドキャップバイパスプラグ（１０）とを有し、前記エンドキャップバイパスプラグ（１０）が、前記エンドキャップ（１０２ａ）に対して密封配向および非密封配向のうちの一方で移動可能に配置されるように、前記エンドキャップ（１０２ａ）の軸路（１０６）内に移動可能に配置される、ステップを有し、
前記エンドキャップバイパスプラグ（１０）は、上面（１２ａ）と、下面（１２ｂ）と、前記上面（１２ａ）と前記下面（１２ｂ）とを接合する外側面（１２ｃ）とを有する本体（１２）であって、中心軸（Ａ−Ａ）が、前記本体（１２）の軸の中心（Ｃ12）を通って延びる、本体と、
前記本体（１２）の前記上面（１２ａ）に接続され、かつ、前記上面（１２ａ）から離れるように延びる第１の複数の脚部材（１４）と、
前記本体の前記下面に接続され、かつ、前記下面から離れるように延びる、第２の複数の脚部材と、を有し、
前記第１の複数の脚部材（１４）の各脚部材（１４ａ1〜１４ａ4）が、頭部（２２）と、前記頭部（２２）に結合される幹部（１６）と、を有し、前記頭部（２２）が、前記頭部（２２）から半径方向に外向きに延びる鼻部（２６）を有し、前記幹部（１６）が、前記本体（１２）の前記上面（１２ａ）から軸方向に離れるように延び、かつ、凹形の内向面（１８）を有し、
さらに、キャニスタ（３０２）およびカバー（３０４）を含むエンクロージャ（３００）の空洞（３０６）内に前記フィルタアセンブリ（２００）を配置するステップであって、前記キャニスタ（３０２）が、前記エンドキャップバイパスプラグ（１０、１０’、１０’’）と係合するバイパス弁（３３０）を含み、前記バイパス弁（３３０）が前記エンドキャップ（１０２ａ）と直接係合することなく、前記エンドキャップバイパスプラグ（１０、１０’、１０’’）を前記エンドキャップ（１０２ａ）に対して前記密封配向で付勢するように、前記エンドキャップバイパスプラグ（１０、１０’、１０’’）に付勢力（Ｆ344）を及ぼす、ステップと、を含み、
前記第１の複数の脚部材の長さ、幾何学形状及び配置と前記第２の複数の脚部材の長さ、幾何学形状及び配置とが前記本体に対して対称である、方法。
【請求項１５】
流入ポート（３１０）を介して濾過されていない流体（Ｆ）を前記エンクロージャ（３００）の前記空洞（３０６）内に流すステップと、
前記濾過されていない流体（Ｆ）を、前記フィルタ媒体（２０２）の外側表面（２０６）から前記フィルタ媒体（２０２）の内面（２０４）に前記フィルタアセンブリ（２００）のフィルタ媒体（２０２）を通過させることによって、前記濾過されていない流体（Ｆ）から不純物を濾過するステップと、
流出ポート（３１２）を介して前記濾過された流体（Ｆ）を前記エンクロージャ（３００）の前記空洞（３０６）から外に流すステップと、をさらに含む、請求項１４に記載の方法。
【請求項１６】
前記フィルタ媒体（２０２）が前記不純物で塞がれた際に、前記エンドキャップバイパスプラグ（１０、１０’、１０’’）を含む前記エンドキャップアセンブリ（１００）周辺での配置のために、前記濾過されていない流体（Ｆ）を前記流入ポート（３１０）から前記空洞（３０６）内に流すステップであって、
前記バイパス弁（３３０）によって前記エンドキャップバイパスプラグ（１０、１０’、１０’’）に適用される前記付勢力（Ｆ344）に対向する濾過されていない流体力（Ｆ344’）を前記エンドキャップバイパスプラグ（１０、１０’、１０’’）に与えるための、流すステップをさらに含む、請求項１５に記載の方法。
【請求項１７】
前記濾過されていない流体力（Ｆ344’）が、前記バイパス弁（３３０）によって前記エンドキャップバイパスプラグ（１０、１０’、１０’’）に適用された前記付勢力（Ｆ344）よりも大きくなる際に、前記エンドキャップバイパスプラグ（１０、１０’、１０’’）が前記非密封配向で移動可能に配置されるように、前記濾過されていない流体（Ｆ）を利用して、前記エンドキャップ（１０２ａ）の前記軸路（１０６）内の前記エンドキャップバイパスプラグ（１０、１０’、１０’’）を、前記密封配向での前記バイパス弁（３３０）による付勢から遠ざかるよう促すステップであって、
前記濾過されていない流体（Ｆ）を、前記エンドキャップアセンブリ（１００）によって画定される流体流バイパス通路（１１０）に沿って、前記流出ポート（３１２）を介して前記エンクロージャ（３００）の前記空洞（３０６）から外に流すための、遠ざかるよう促すステップを含む、請求項１６に記載の方法。
【請求項１８】
前記流体流バイパス通路（１１０）に沿って前記濾過されていない流体（Ｆ）を流す前記ステップが、
前記濾過されていない流体（Ｆ）を、前記エンドキャップ（１０２ａ）の前記軸路（１０６）によって画定される軸方向の流路（Ｆa）に沿って軸方向に流すステップと、
前記濾過されていない流体（Ｆ）を、前記エンドキャップバイパスプラグ（１０、１０’、１０’’）の少なくとも１つの半径方向通路（３８、３８’、３８’’）によって画定される半径方向の流路（ＦR）に沿って半径方向に流すステップと、を含む、請求項１７に記載の方法。
【請求項１９】
前記第２の複数（１４b1〜１４b4）の脚部材（１４）の隣接する脚部材（１４b1〜１４b4）が、第２の距離（Ｄ14）だけ離間され、それにより、それらの間に第２の複数の半径方向流体流路（ＦR）を画定する第２の複数の半径方向通路（３８）を形成する、請求項１に記載のエンドキャップバイパスプラグ（１０）。
【請求項２０】
前記第２の複数の脚部材（１４）の各脚部材（１４b1〜１４b4）が、頭部（２２）と幹部（１６）とを有し、前記第２の複数の脚部材（１４）の各脚部材（１４b1〜１４b4）の前記幹部（１６）が、前記本体（１２）の前記上面（１２ａ）から離れるように延び、かつ、凹形の内向面（１８）を有する、請求項１９に記載のエンドキャップバイパスプラグ（１０）。
【発明の詳細な説明】
【技術分野】
【０００１】
関連出願の相互参照
この国際特許出願は、２０１２年８月３０に出願された米国仮出願第６１／６５６，３４４号の優先権を主張し、この開示は、本出願の開示の一部とみなされ、本明細書にその全体が参照により援用される。
【０００２】
本開示は、エンドキャップバイパスプラグ、エンドキャップアセンブリ、およびフィルタアセンブリに関する。
【背景技術】
【０００３】
流体が流体路を通過するときに流体を濾過するための様々なフィルタが、当該技術分野で既知である。フィルタは、不純物を流体（例えば、油またはフィルタ媒体を通過する燃料）から除去するフィルタ媒体を部分的に含む。
【０００４】
ほとんどの用途において、フィルタアセンブリまたはそれに関連付けられるフィルタ媒体のいずれかは、流体路の流量制限に受け入れがたいほど高い抵抗を発展させる可能性を低減するために定期的に交換されなければならない。
【０００５】
既知のフィルタは様々な用途に使用可能なことが証明されているが、一方で、それにもかかわらず、このような従来のフィルタは、それらの全体的な性能および費用を増大させ得る改善の余地がある。したがって、改善されたフィルタ、および技術を進歩させるそれを形成するための方法を開発する必要性が存在する。
【発明の概要】
【０００６】
本開示の一態様は、エンドキャップバイパスプラグを提供する。エンドキャップバイパスプラグは、本体および複数の脚部材を含む。本体は、上面、下面、および上面と下面とを接合する外側面を含む。中心軸は、本体の軸の中心を通って延在する。前記複数の脚部材が本体の上面に接続され、そこから離れるように延びる。前記複数の脚部材の近接した脚部材は、ある距離だけ離間されて、それにより、それらの間に複数の半径方向流体流路を画定する複数の半径方向通路を形成する。前記複数の脚部材の各脚部材は、上面を有する頭部を含む。頭部は、半径方向に外向きに頭部から延在する鼻部を含む。鼻部は、傾斜面および下面を含む。鼻部の傾斜面が頭部の上面に接続され、上縁を画定する。鼻部の傾斜面が頭部の下面に接続され、下縁を画定する。
【０００７】
いくつかの例において、複数の脚部材の各脚部材は、本体の上面から離れるように軸方向に延びる幹部を含む。
【０００８】
いくつかの実現形態において、幹部は内向面および外向面を含む。内向面は、第１の半径方向距離で中心軸から離間される。外向面は、第１の半径方向距離よりも大きい第２の半径方向距離で、中心軸から離間され、弓形幾何学形状を含むように幹部を画定する。複数の脚部材の各脚部材の幹部の内向面が第１の直径を形成し、複数の脚部材の各脚部材の幹部の外向面が第２の直径を形成するように、複数の脚部材の対向する脚部材は、中心軸を中心に円形配向で配置される。第２の直径は、第１の直径よりも大きい。
【０００９】
いくつかの例において、複数の脚部材の各脚部材の上縁は、複数の脚部材の各脚部材の上縁が第３の直径を形成するように、中心軸から第３の半径方向距離で離間される。複数の脚部材の各脚部材の下縁は、中心軸から第４の半径方向距離で離間され、複数の脚部材の各脚部材の下縁が、第４の直径を形成するようにする。第４の直径は、弓形幾何学形状を含むように複数の脚部材の各脚部材の傾斜面を確定するように第３の直径よりも大きい。
【００１０】
いくつかの実現形態において、本体の外側面は、本体が第５の直径を形成するように、中心軸から第５の半径方向距離で離間される。第５の直径は、第４の直径よりも大きい。
【００１１】
いくつかの例において、幹部は、外向面を含む。外向面は、第１の半径方向距離で中心軸から離間され、円筒幾何学形状を含むように幹部を画定する。幹部の外向面は、第１の直径を形成する。
【００１２】
いくつかの例において、複数の脚部材の対向する脚部材は、中心軸を中心に円形配向で配置される。複数の脚部材の各脚部材の上縁は、複数の脚部材の各脚部材の上縁が第２の直径を形成するように、中心軸から第２の半径方向距離で離間される。複数の脚部材の各脚部材の下縁は、複数の脚部材の各脚部材の下縁が第３の直径を形成するように、中心軸から第３の半径方向距離で離間される。第２の直径は、第１の直径よりも大きい。第３の直径は、弓形幾何学形状を含むように複数の脚部材の各脚部材の傾斜面を画定するように第２の直径よりも大きい。
【００１３】
いくつかの実現形態において、本体の外側面は、本体が第４の直径を形成するように、中心軸から第４の半径方向距離で離間される。第４の直径が、第３の直径よりも大きい。
【００１４】
いくつかの例において、鼻部の傾斜面は、ある角度で頭部の上面に接続される。この角度は、ほぼ１２０度に等しい。
【００１５】
いくつかの実現形態において、密封部材は、本体の上面から離れるように軸方向に延びる。
【００１６】
本開示の別の態様は、エンドキャップおよびエンドキャップバイパスプラグを含むエンドキャップアセンブリを提供する。エンドキャップは、上面、下面、および上面と下面とを接合する外側面を有する環状本体を含む。エンドキャップは、環状本体の厚さを通って延在する軸路を形成する。軸路は、軸方向流体流路を画定する。軸路へのアクセスは、環状本体の上面によって形成される上部開口部と、環状本体の下面によって形成される下部開口部とによって提供される。エンドキャップバイパスプラグは、エンドキャップバイパスプラグが密封配向および非密封配向のうちの一方でエンドキャップと移動可能に接続されるように、軸路内に移動可能に配置される。エンドキャップバイパスプラグが、非密封配向で軸路内に移動可能に配置されるとき、流体は、エンドキャップの上面からエンドキャップの下面を超えて軸路内を流れる。エンドキャップバイパスプラグが、密封配向で軸路内に移動可能に配置されるとき、流体は、エンドキャップの上面からエンドキャップの下面を超えて軸路内を流れることを阻止される。
【００１７】
いくつかの例において、エンドキャップバイパスプラグは、複数の半径方向流体流路を画定する複数の半径方向通路を形成する。エンドキャップバイパスプラグが、軸路内に非密封配向で移動可能に配置されるとき、エンドキャップバイパスプラグの複数の半径方向通路は、少なくとも１つの流体流バイパス通路を形成するように、軸方向流体流路を画定するエンドキャップの軸路と協働する。流体は、エンドキャップバイパスプラグが、軸路内に非密封配向で移動可能に配置されるとき、少なくとも１つの流体流バイパス通路内を流れる。
【００１８】
本開示のさらに別の態様において、フィルタ媒体を含むフィルタアセンブリ、上部エンドキャップおよびエンドキャップバイパスプラグを含むエンドキャップアセンブリ、ならびに下部エンドキャップを提供する。フィルタ媒体は、上端、下端、外面、および内面を含む。エンドキャップアセンブリは、密封配向および非密封配向のうちの一方でエンドキャップと移動可能に接続される上部エンドキャップおよびエンドキャップバイパスプラグを含む。上部エンドキャップは、フィルタ媒体の上端と近接して配設される。下部エンドキャップは、フィルタ媒体の下端と近接して配設される。
【００１９】
いくつかの例において、上部エンドキャップは、上面、下面、および上面と下面とを接合する外側面を有する環状本体を含む。上部エンドキャップは、環状本体の厚さを通って延在する軸路を形成する。軸路は、軸方向流体流路を画定する。軸路へのアクセスは、環状本体の上面によって形成される上部開口部と、環状本体の下面によって形成される下部開口部とによって提供される。エンドキャップバイパスプラグは、エンドキャップバイパスプラグが密封配向および非密封配向のうちの一方で上部エンドキャップと移動可能に接続される接続されるように、軸路内に移動可能に配置される。
【００２０】
いくつかの実現形態において、エンドキャップバイパスプラグが、非密封配向で軸路内に移動可能に配置されるとき、流体は、上部エンドキャップの上面から上部エンドキャップの下面を超えて軸路内を流れる。エンドキャップバイパスプラグが、密封配向で軸路内に移動可能に配置されるとき、流体は、上部エンドキャップの上面から上部エンドキャップの下面を超えて軸路内を流れることを阻止される。
【００２１】
いくつかの例において、エンドキャップバイパスプラグは、複数の半径方向流体流路を画定する複数の半径方向通路を形成する。エンドキャップバイパスプラグが、軸路内に非密封配向で移動可能に配置されるとき、エンドキャップバイパスプラグの複数の半径方向通路は、少なくとも１つの流体流バイパス通路を形成するように、軸方向流体流路を画定する上部エンドキャップの軸路と協働する。流体は、エンドキャップバイパスプラグが、軸路内に非密封配向で移動可能に配置されるとき、少なくとも１つの流体流バイパス通路内を流れる。
【００２２】
本開示の一態様は、エンドキャップアセンブリを有するフィルタアセンブリを含む方法を提供する。エンドキャップバイパスプラグが、エンドキャップに対して密封配向および非密封配向のうちの一方で移動可能に配置されるように、エンドキャップアセンブリは、エンドキャップと、エンドキャップ軸路内に移動可能に配置されるエンドキャップバイパスプラグとを含む。フィルタアセンブリは、キャニスタおよびカバーを含むエンクロージャの空洞内に配置される。キャニスタは、バイパス弁がエンドキャップと直接係合することなく、エンドキャップバイパスプラグをエンドキャップに対して密封配向で付勢するように、エンドキャップバイパスプラグに付勢力を及ぼすために、エンドキャップバイパスプラグと係合するバイパス弁を含む。
【００２３】
いくつかの例において、方法は、流入ポートを介して濾過されていない流体をエンクロージャの空洞内に流すステップと、濾過されていない流体をフィルタ媒体の外側表面からフィルタ媒体の内面へフィルタアセンブリのフィルタ媒体を通過させることによって、濾過されていない流体から不純物を濾過するステップと、流出ポートを介して濾過された流体をエンクロージャの空洞から外に流すステップとを含む。
【００２４】
いくつかの実現形態において、フィルタ媒体が不純物で詰まった際、本方法は、エンドキャップアセンブリの周辺への配置ために濾過されていない流体を流入ポートから空洞内に流すステップを含み、該エンドキャップアセンブリは、バイパス弁によってエンドキャップバイパスプラグに適用される付勢力に対向する濾過されていない流体力をエンドキャップバイパスプラグへ与えるためのエンドキャップバイパスプラグを含む。
【００２５】
いくつかの例において、濾過されていない流体力が、バイパス弁によってエンドキャップバイパスプラグに適用される付勢力よりも大きくなる際、エンドキャップバイパスプラグが、非密封配向で移動可能に配置され、濾過されていない流体を流出ポートを介してエンドキャップアセンブリによって画定される流体流バイパス通路に沿ってエンクロージャの空洞から外に流すように、エンドキャップの軸路内のエンドキャップバイパスプラグをバイパス弁によって密封配向で付勢されることから遠ざけるために、濾過されていない流体を利用する。
【００２６】
いくつかの実現形態において、濾過されていない流体を流体流バイパス通路に沿って流すステップは、濾過されていない流体を、エンドキャップの軸路によって画定される軸方向の流路に沿って軸方向に流すステップと、濾過されていない流体を、エンドキャップバイパスプラグの少なくとも１つの半径方向通路によって画定される半径方向流路に沿って半径方向に流すステップとを含む。
【００２７】
ここで、本開示は、以降に添付の図面を参照しながら例として説明される。
【図面の簡単な説明】
【００２８】
【図１】例示的エンドキャップバイパスプラグの上面斜視図である。
【図２】図１のエンドキャップバイパスプラグの上面図である。
【図３】図１のエンドキャップバイパスプラグの底面図である。
【図４】図１のエンドキャップバイパスプラグの側面図である。
【図４−１】図４’（図４−１）は、代替的な例示的なエンドキャップバイパスプラグの側面図である。
【図５】図２の線５−５に沿った、エンドキャップバイパスプラグの断面図である。
【図５−１】図５’（図５−１）は、図４のエンドキャップバイパスプラグの断面図である。
【図６】図１の例示的なエンドキャップバイパスプラグを含む例示的なエンドキャップアセンブリの分解上面斜視図である。
【図７】図６のエンドキャップアセンブリの組み立てられた上面斜視図である。
【図８】図６のエンドキャップアセンブリの組み立てられた底面斜視図である。
【図９Ａ】図６の線９−９に沿ったエンドキャップアセンブリの断面図である。
【図９Ｂ】部分的組み立て配向におけるエンドキャップアセンブリを示す、図９Ａに従うエンドキャップアセンブリの別の断面図である。
【図９Ｂ−１】図９Ｂ’（図９Ｂ−１）は、図９Ｂの線９Ｂ’〜９Ｂ’’’’に従うエンドキャップアセンブリの拡大図である。
【図９Ｂ−２】図９Ｂ’’（図９Ｂ−２）は、図９Ｂの線９Ｂ’〜９Ｂ’’’’に従うエンドキャップアセンブリの拡大図である。
【図９Ｂ−３】図９Ｂ’’’（図９Ｂ−３）は、図９Ｂの線９Ｂ’〜９Ｂ’’’’に従うエンドキャップアセンブリの拡大図である。
【図９Ｂ−４】図９Ｂ’’’’（図９Ｂ−４）は、図９Ｂの線９Ｂ’〜９Ｂ’’’’に従うエンドキャップアセンブリの拡大図である。
【図９Ｃ】組み立て密封配向におけるエンドキャップアセンブリを示す、図９Ｂに従うエンドキャップアセンブリの別の断面図である。
【図９Ｄ】組み立て非密封配向におけるエンドキャップアセンブリを示す、図９Ｂに従うエンドキャップアセンブリの別の断面図である。
【図１０】図９Ｃの線１０に沿った、組み立て密封配向におけるエンドキャップアセンブリの拡大図である。
【図１０−１】図１０’（図１０−１）は、図７の線１０’に沿った、組み立て密封配向におけるエンドキャップアセンブリの拡大図である。
【図１１】図９Ｄの線１１に沿った、組み立て非密封配向におけるエンドキャップアセンブリの拡大図である。
【図１１−１】図１１’（図１１−１）は、組み立て非密封配向におけるエンドキャップアセンブリの拡大図である。
【図１２】図７の例示的なエンドキャップアセンブリを含む例示的なフィルタアセンブリの分解斜視図である。
【図１３】図１２のフィルタアセンブリの組み立てられた斜視図である。
【図１４】図１３の線１４−１４に沿ったフィルタアセンブリの断面図である。
【図１５Ａ】例示的なエンクロージャの例示的なキャニスタの断面図である。
【図１５Ｂ】図１５Ａの例示的なキャニスタおよび図１４の例示的なフィルタアセンブリの分解断面図である。
【図１５Ｃ】例示的なエンクロージャの例示的なカバーならびに図１５Ｂのキャニスタおよびフィルタアセンブリの分解断面図である。
【図１５Ｄ】図１５Ｃのカバーおよびキャニスタを含むフィルタアセンブリおよびエンクロージャの組み立てられた断面図である。
【図１５Ｅ】例示的な流体流路を含む、図１５Ｄのエンクロージャおよびフィルタアセンブリの断面図である。
【図１５Ｆ】例示的な流体流路を含む、図１５Ｄのエンクロージャおよびフィルタアセンブリの断面図である。
【図１５Ｇ】例示的な流体流路を含む、図１５Ｄのエンクロージャおよびフィルタアセンブリの断面図である。
【図１６】例示的なエンドキャップバイパスプラグの斜視図である。
【図１７】図１６のエンドキャップバイパスプラグの上面図である。
【図１８】図１６のエンドキャップバイパスプラグの底面図である。
【図１９】図１６のエンドキャップバイパスプラグの側面図である。
【図２０】図１７の線２０−２０に沿った、エンドキャップバイパスプラグの断面図である。
【図２１Ａ】組み立て密封配向で配置された、図１６のエンドキャップバイパスプラグを含む、例示的なエンドキャップアセンブリの断面図である。
【図２１Ｂ】組み立て非密封配向で配置された、図２１Ａに従うエンドキャップアセンブリの別の断面図である。
【図２２】例示的なエンドキャップバイパスプラグの斜視図である。
【図２３】図２２のエンドキャップバイパスプラグの上面図である。
【図２４】図２２のエンドキャップバイパスプラグの底面図である。
【図２５】図２２のエンドキャップバイパスプラグの側面図である。
【図２６】図２３の線２６−２６に沿った、エンドキャップバイパスプラグの断面図である。
【図２７Ａ】組み立て密封配向で配置された、図２２のエンドキャップバイパスプラグを含む、例示的なエンドキャップアセンブリの断面図である。
【図２７Ａ−１】図２７Ａ’（図２７Ａ−１）は、組み立て密封配向で配置された、エンドキャップバイパスプラグを含む、例示的なエンドキャップアセンブリの断面図である。
【図２７Ｂ】組み立て非密封配向で配置された、図２７Ａに従うエンドキャップアセンブリの別の断面図である。
【図２７Ｂ−１】図２７Ｂ’（図２７Ｂ−１）は、組み立て非密封配向で配置された、図２７Ａ’に従うエンドキャップアセンブリの別の断面図である。
【発明を実施するための形態】
【００２９】
図面は、エンドキャップバイパスプラグ、エンドキャップアセンブリ、およびフィルタアセンブリの例示的な実現形態を示す。上記に基づいて、本明細書で使用される学術用語は、単に便宜上のものであり、本発明を説明するために使用される用語は、当業者によって最も広い意味を与えられるべきであることが概ね理解されるべきである。
【００３０】
図１〜５は、１０で一般に示される、エンドキャップバイパスプラグの例示的な実現形態を示す。図１を参照して、エンドキャップバイパスプラグ１０は、上面１２ａ、下面１２ｂ、および上面１２ａと下面１２ｂとを接合する外側面１２ｃを有する環状本体１２を含む。環状本体１２の外側面１２ｃは、エンドキャップバイパスプラグ１０の寸法（例えば、直径、図２に見られるＤ12c）を画定し得る。中心軸であるＡ−Ａは、バイパスプラグ１０の環状本体１２の軸の中心Ｃ12を通って軸方向に延在し得る。
【００３１】
脚部材１４は、環状本体１２の上面１２ａおよび下面１２ｂのうちの１つ以上と一体であり得、それから離れるように延在し得る。脚部材１４は、少なくとも１つの上部脚部材１４ａおよび少なくとも１つの下部脚部材１４ｂを含み得る。少なくとも１つの上部脚部材１４ａは、環状本体１２の上面１２ａから延在し得る。少なくとも１つの下部脚部材１４ｂは、環状本体１２の下面１２ｂから延在し得る。一実現形態において、少なくとも１つの脚部材１４ａ、１４ｂは、４つの上部脚部材１４ａ1〜１４ａ4および４つの下部脚部材１４ｂ1〜１４ｂ4をそれぞれ含むように画定され得る。エンドキャップバイパスプラグ１０が、少なくとも１つの上部脚部材１４ａおよび少なくとも１つの下部脚部材１４ｂを有する脚部材１４を含むように説明されているが、いくつかの実現形態において、少なくとも１つの下部脚部材１４ｂは、エンドキャップバイパスプラグ１０の設計から省略され得る。
【００３２】
一実現形態において、少なくとも１つの上部脚部材１４ａの各脚部材１４ａ1〜１４ａ4は、環状本体１２の上面１２ａから離れるように延在する可撓性の幹部１６を含み得る。各可撓性の幹部１６は、内向面１８および外向面２０を含み得る。内向面１８および外向面２０は、弓形形状を含むように各可撓性の幹部１６を画定する。一実現形態において、少なくとも１つの下部脚部材１４ｂの各脚部材１４ｂ1〜１４ｂ4は、上で説明される、可撓性の幹部１６に対して実質的に類似する寸法を含む。
【００３３】
各可撓性の幹部１６の内向面１８は、環状本体１２の軸の中心Ｃ12を通って、（例えば、図２に見られる）半径／半径方向距離ｄ18で延在する中心軸Ａ−Ａから同程度に離間され得る。結果として、各脚部材１４ａ1〜１４ａ4の内向面１８が、半径方向距離ｄ18で中心軸Ａ−Ａから同程度に離間され、円形配向で集合的に配置される場合、少なくとも１つの上部脚部材１４ａの各脚部材１４ａ1〜１４ａ4の内向面１８は、エンドキャップバイパスプラグ１０の寸法（例えば、図２に見られる直径Ｄ18）を画定し得る。一実現形態において、少なくとも１つの下部脚部材１４ｂの各脚部材１４ｂ1〜１４ｂ4は、上で説明される、内向面１８に対して実質的に類似の寸法を含む。
【００３４】
各可撓性の幹部１６の外向面２０は、環状本体１２の軸の中心Ｃ12を通って、（例えば、図２に見られる）半径／半径方向距離ｄ20で延在する中心軸Ａ−Ａから同程度に離間され得る。結果として、各脚部材１４ａ1〜１４ａ4の外向面２０が、半径方向距離ｄ20で中心軸Ａ−Ａから同程度に離間され、円形配向で集合的に配置される場合、少なくとも１つの上部脚部材１４ａの各脚部材１４ａ1〜１４ａ4の外向面２０が、エンドキャップバイパスプラグ１０の寸法（例えば、図２に見られる直径Ｄ20）を画定し得る。一実現形態において、少なくとも１つの下部脚部材１４ｂの各脚部材１４ｂ1〜１４ｂ4は、上で説明される、外向面２０に対して実質的に類似の寸法を含む。
【００３５】
各可撓性の幹部１６は、頭部２２で終了する。頭部２２は、上面２４を含む。上面２４は、弓形形状を含むように各頭部２２を画定する。一実現形態において、少なくとも１つの下部脚部材１４ｂの各脚部材１４ｂ1〜１４ｂ4は、上で説明される、頭部２２に対して実質的に類似の寸法を含む。
【００３６】
頭部２２は、半径方向に外向きに各頭部２２から延在する鼻部２６をさらに含み得る。一実現形態において、鼻部２６は、傾斜面２８および下面３０によって画定され得る。傾斜面２８および下面３０は、各鼻部２６を弓形形状を含むように画定する。一実現形態において、少なくとも１つの下部脚部材１４ｂの各脚部材１４ｂ1〜１４ｂ4は、上で説明される、鼻部２６に対して実質的に類似の寸法を含む。
【００３７】
鼻部２６の傾斜面２８は、上縁３２を画定するように頭部２２の上面２４に接続される。上縁３２は、弓形形状であり得る。少なくとも１つの上部脚部材１４ａの各脚部材１４ａ1〜１４ａ4の各鼻部２６の上縁３２は、環状本体１２の軸の中心Ｃ12を通って（例えば、図２に見られる）半径／半径方向距離ｄ32で延在する中心軸Ａ−Ａから同程度に離間され得、結果的として、各脚部材１４ａ1〜１４ａ4の上縁３２が、半径方向距離ｄ32で中心軸Ａ−Ａから同程度に離間され、円形配向で集合的に配置される場合、少なくとも１つの上部脚部材１４ａの上縁３２の各脚部材１４ａ1〜１４ａ4は、エンドキャップバイパスプラグ１０の寸法（例えば、図２に見られる直径Ｄ32）を画定し得る。いくつかの実現形態において、少なくとも１つの上部脚部材１４ａの各脚部材１４ａ1〜１４ａ4の外向面２０によって画定される直径Ｄ20は、少なくとも１つの上部脚部材１４ａの上縁３２の各脚部材１４ａ1〜１４ａ4によって画定される直径Ｄ32にほぼ等しくてもよい。一実現形態において、少なくとも１つの下部脚部材１４ｂの各脚部材１４ｂ1〜１４ｂ4は、上で説明されるように、上縁３２に対して実質的に類似の寸法を含み得る。
【００３８】
図５を参照して、いくつかの実現形態において、鼻部２６の傾斜面２８は、角度θで頭部２２の上面２４と接続される。一実施例において、角度θは、ほぼ約１２０度に等しくてもよい。一実現形態において、少なくとも１つの下部脚部材１４ｂの各脚部材１４ｂ1〜１４ｂ4は、上で説明されるように、角度θに対して実質的に類似の寸法を含む。
【００３９】
引き続き図５を参照して、鼻部２６の下面３０は、可撓性の幹部１６の外向面２０および鼻部２６の傾斜面２８の両方に接続される。場合によっては、鼻部２６の下面３０は、実質的に垂直配向で、可撓性の幹部１６の外向面２０に接続される。
【００４０】
図１を参照して、鼻部２６の傾斜面２８は、下縁３４を画定するように鼻部２６の下面３０に接続される。下縁３４は、弓形形状であり得る。少なくとも１つの上部脚部材１４ａの各脚部材１４ａ1〜１４ａ4の各鼻部２６の下縁３４は、環状本体１２の軸の中心Ｃ12を通って（例えば、図２に見られる）半径／半径方向距離ｄ34で延在する中心軸Ａ−Ａから同程度に離間され得、結果として、各脚部材１４ａ1〜１４ａ4の下縁３４が、半径方向距離ｄ34で中心軸Ａ−Ａから同程度に離間され、円形配向で集合的に配置される場合、少なくとも１つの上部脚部材１４ａの下縁３４の各脚部材１４ａ1〜１４ａ4は、エンドキャップバイパスプラグ１０の寸法（例えば、図２に見られる直径Ｄ34）を画定し得る。一実現形態において、少なくとも１つの下部脚部材１４ｂの各脚部材１４ｂ1〜１４ｂ4は、上で説明されるように、下縁３４に対して実質的に類似の寸法を含む。
【００４１】
図２を参照して、いくつかの実現形態において、少なくとも１つの上部脚部材１４ａの４つの脚部材１４ａ1〜１４ａ4は各々、弓形距離Ｄ14で同程度に離間される。結果として、弓形距離Ｄ14は、エンドキャップバイパスプラグ１０の軸の中心を通って延在する中心軸Ａ−Ａから参照される、それらの間に半径方向流体流路ＦR（例えば、図１を参照されたい）を画定する、図１〜２に見られる少なくとも１つの半径方向通路３８（即ち、４つの半径方向通路３８1〜３８4）を形成する、４つの脚部材１４ａ1〜１４ａ4の隣接した脚部材をもたらす。一実現形態において、少なくとも１つの下部脚部材１４ｂの各脚部材１４ｂ1〜１４ｂ4は、上で説明されるように、弓形距離Ｄ14に対して実質的に類似の寸法を含む。
【００４２】
図６〜１１は、１００で概ね示される例示的なエンドキャップアセンブリを示す。図６を参照して、エンドキャップアセンブリ１００は、エンドキャップバイパスプラグ１０およびエンドキャップ１０２ａを含む。エンドキャップ１０２ａは、上面１０４ａ、下面１０４ｂ、および上面１０４ａと下面１０４ｂとを接合する外側面１０４ｃを有する環状本体１０４を含む
【００４３】
軸路１０６は、環状本体１０４の厚さＴ104（例えば、図９Ａ）を通って延在する。軸路１０６へのアクセスは、環状本体１０４の上面１０４ａによって形成される上部開口部１０８ａと、環状本体１０４の下面１０４ｂによって形成される下部開口部１０８ｂとによって許容される。
【００４４】
軸路１０６は、エンドキャップ１０２ａの軸の中心Ｃ102aおよびエンドキャップバイパスプラグ１０の軸の中心Ｃ12を通って延在する中心軸Ａ−Ａと軸方向に位置合わせされる。軸路１０６は、通路面１０６ａによって画定され、通路面１０６ａは、寸法（例えば、図９Ａに見られる直径Ｄ106）を含むように軸路１０６を画定する。軸路１０６は、エンドキャップ１０２ａの軸の中心Ｃ102aを通って延在する中心軸Ａ−Ａから参照される軸方向流体流路ＦAを画定する。
【００４５】
図６〜７を参照して、エンドキャップバイパスプラグ１０は、エンドキャップバイパスプラグ１０がエンドキャップ１０２ａと移動可能に接続される接続されるように、エンドキャップ１０２ａの軸路１０６内に配置される。エンドキャップバイパスプラグ１０は、バイパスプラグ１０およびエンドキャップ１０２ａの各々の軸の中心を通って軸方向に延在する中心軸Ａ−Ａに沿って移動可能に配置される。
【００４６】
エンドキャップバイパスプラグ１０が、少なくとも２つの配向のうちの一方で配置されるようにエンドキャップアセンブリ１００を構成するために、エンドキャップ１０２ａの軸路１０６内に移動可能に配置されることが許容される。第１の配向は、流動的非密封配向（例えば、図９Ｄ、１１、および１１’を参照されたい）であり得、第２の配向は、流動的密封配向（例えば、図７〜８、９Ｃ、１０、および１０’を参照されたい）であり得る。
【００４７】
例えば、図１１に見られるように、エンドキャップバイパスプラグ１０の環状本体１２の上面１２ａが、エンドキャップ１０２ａの環状本体１０４の下面１０４ｂに対して、対向離間関係で配置されるとき、エンドキャップアセンブリ１００の非密封配向は、画定／実現され、図１１’を参照して、このような配向で配置されるとき、流体Ｆは、（１）エンドキャップ１０２ａの環状本体１０４の上面１０４ａの周辺から、（２）エンドキャップ１０２ａの上面１０４ａによって形成される上部開口部１０８ａ内に流れ、（３）軸方向流体流路ＦAに沿って軸方向に軸路１０６内を通って流れ、（４）エンドキャップ１０２ａの下面１０４ｂによって形成される下部開口部１０８ｂから外に流れ、（５）幹部１６の外向面２０を超えて、半径方向流体流路ＦRに沿って流れ、かつ（６）エンドキャップ１０２ａの環状本体１０４の下面１０４ｂの周辺を少なくとも１つの半径方向通路３８内を半径方向に流れることを許容される。エンドキャップ１０２ａの軸路１０６と、エンドキャップバイパスプラグ１０の少なくとも１つの半径方向通路３８との集合的な協働の結果として、軸路１０６および少なくとも１つの半径方向通路３８は、少なくとも１つの流体流バイパス通路１１０（即ち、４つの流体流バイパス通路１１０1〜１１０4）を含むように、エンドキャップアセンブリ１００を画定し得る。
【００４８】
例えば、図１０に見られるように、エンドキャップバイパスプラグ１０の環状本体１２の上面１２ａが、エンドキャップ１０２ａの環状本体１０４の下面１０４ｂと近接関係で配置される一方で、また、エンドキャップ１０２ａの下面１０４ｂによって形成される下部開口部１０８ｂを閉鎖して流動的に密閉するとき、エンドキャップアセンブリ１００の密封配向は、画定／実現され、図１０’を参照して、このような配向で配置されるとき、流体Ｆは、（１）エンドキャップ１０２ａの環状本体１０４の上面１０４ａの周辺から、（２）エンドキャップ１０２ａの上面１０４ａによって形成される上部開口部１０８ａ内に流れ、かつ（３）軸方向流体流路ＦAに沿って軸方向に軸路１０６を通って流れることのみが許容される。しかしながら、一旦流体Ｆが軸路１０６内に配置されると、流体Ｆは、（４）エンドキャップ１０２ａの下面１０４ｂによって形成される下部開口部１０８ｂから外に流れ、（５）エンドキャップバイパスプラグ１０の環状本体１２の上面１２ａが、エンドキャップ１０２ａの下面１０４ｂによって形成される下部開口部１０８ｂを閉鎖して流動的に密閉するため、半径方向流体流路ＦRに沿って半径方向に少なくとも１つの半径方向通路３８内を、幹部１６の外向面２０を超えて流れることが許容されない。したがって、流体Ｆは、（６）エンドキャップ１０２ａの環状本体１０４の下面１０４ｂの周辺に配置されることを許容されず、結果として、流体Ｆは、（６ａ）エンドキャップ１０２ａの環状本体１０４の上面１０４ａの周辺および（６ｂ）エンドキャップ１０２ａの軸路１０６に留まる。
【００４９】
図４’および５’を参照して、いくつかの実現形態において、エンドキャップバイパスプラグ１０の環状本体１２の上面１２ａは、密封部材３６（例えば、Ｏリング密閉など）を含み得る。このような実現形態において、エンドキャップアセンブリ１００が、密封配向で配置されるとき、密封部材３６は、エンドキャップ１０２ａの環状本体１０４の下面１０４ｂと近接関係で配置され得、結果として、密封部材３６は、エンドキャップ１０２ａの下面１０４ｂによって形成される下部開口部１０８ｂを流動的に密閉し得るが、一方で、エンドキャップアセンブリ１００が、密封配向で配置されるとき、エンドキャップバイパスプラグ１０の環状本体１２の上面１２ａは、エンドキャップ１０２ａの下面１０４ｂによって形成される下部開口部１０８ｂを閉鎖する。
【００５０】
エンドキャップバイパスプラグ１０の実現形態が密封部材３６を含むことが上で説明されているが、エンドキャップアセンブリ１００が密封配向で配置されるとき、（例えば、図４および５に見られる）密封部材３６を含まないエンドキャップバイパスプラグ１０の実現形態は、エンドキャップ１０２ａの下面１０４ｂによって形成される下部開口部１０８ｂを十分に密封して閉鎖し得る。例えば、エンドキャップバイパスプラグ１０が、図４および５に説明されるように密封部材３６を含まない場合、エンドキャップバイパスプラグ１０全体は、密封部材３６を形成するために利用される材料と一致する材料から形成され得る。他の実現形態において、エンドキャップバイパスプラグ１０が、図４および５に説明されるように密封部材３６を含まない場合、エンドキャップバイパスプラグ１０の環状本体１２の上面１２ａの少なくとも一部分は、密封部材３６を形成するために利用される材料と一致する材料から形成され得る。結果として、エンドキャップバイパスプラグ１０が、密封部材３６を含まないとき、環状本体１２の上面１２ａは、エンドキャップバイパスプラグ１０の環状本体１２の上面１２ａが、エンドキャップ１０２ａの下面１０８に近接して配置されるとき、有効な密封を提供するであろう。
【００５１】
エンドキャップアセンブリ１００を組み立てるための実施形態を説明する前に、エンドキャップバイパスプラグ１０およびエンドキャップ１０２ａの例示的な相対的幾何学形状が、以下に説明される。図９Ａを参照して、一実施例において、軸路１０６の直径Ｄ106は、エンドキャップバイパスプラグ１０の環状本体１２の外側面１２ｃによって画定される直径Ｄ12c未満である。軸路１０６の直径Ｄ106は、エンドキャップバイパスプラグ１０の上縁３２の各脚部材１４ａ1〜１４ａ4によって画定される直径Ｄ32にほぼ等しいが、僅かにそれよりも大きくてもよい。軸路１０６の直径Ｄ１０６は、エンドキャップバイパスプラグ１０の下縁３４の各脚部材１４ａ1〜１４ａ4によって画定される直径Ｄ34にほぼ等しいが、僅かにそれより小さくてもよい。
【００５２】
エンドキャップアセンブリ１００は、次の実現形態に従って組み立てられ得る。第一に、図９Ａに見られるように、エンドキャップバイパスプラグ１０の上縁３２の各脚部材１４ａ1〜１４ａ4によって画定される画定される直径Ｄ32が、軸路１０６の直径Ｄ106と位置合わせされるように、エンドキャップバイパスプラグ１０の少なくとも１つの上部脚部材１４ａの各脚部材１４ａ1〜１４ａ4は、エンドキャップ１０２ａの下面１０４ｂによって形成される下部開口部１０８ｂに対して対向関係で配置され得る。
【００５３】
次いで、図９Ｂに見られるように、少なくとも１つの上部脚部材１４ａの各脚部材１４ａ1〜１４ａ4は、下部開口部１０８ｂを通って、軸路１０６内に挿入される。図９Ｂ’を参照して、エンドキャップバイパスプラグ１０の下縁３４の各脚部材１４ａ1〜１４ａ4によって画定される直径Ｄ34は、軸路１０６の直径Ｄ106にほぼ等しいが、僅かにそれよりも大きくてもよいため、鼻部２６の傾斜面２８は、エンドキャップ１０２ａの下面１０４ｂによって形成される下部開口部１０８ｂと係合し、結果として、図９Ｂ’’を参照して、少なくとも１つ上部脚部材１４ａの各脚部材１４ａ1〜１４ａ4の鼻部２６の傾斜面２８が、下部開口部１０８ｂ（即ち、少なくとも図９Ｂ’’’に見られる）と係合するとき、少なくとも１つの上部脚部材１４ａの各脚部材１４ａ1〜１４ａ4は、（例えば、図９Ａ、９Ｂ’に見られる）非付勢の静止配向から、（例えば、図９Ｂ、９Ｂ’’、９Ｂ’’’に見られる）中心軸Ａ−Ａへ向かって半径方向に内向きに付勢される配向に、柔軟に偏向され得る。図９Ｂ’’を参照して、一旦少なくとも１つの上部脚部材１４ａの各脚部材１４ａ1〜１４ａ4の鼻部２６の傾斜面２８が、下部開口部１０８ｂを超えて軸路１０６内を前進させられると、少なくとも１つの上部脚部材１４ａの各脚部材１４ａ1〜１４ａ4の下縁３４によって画定される直径Ｄ34は、各脚部材１４ａ1〜１４ａ4であるとき、軸路１０６によって画定される直径Ｄ106とほぼ同じであるように一時的にひっくり返される。
【００５４】
図９Ｂ’’〜９Ｂ’’’を参照して、一旦少なくとも１つの上部脚部材１４ａの各脚部材１４ａ1〜１４ａ4の鼻部２６の傾斜面２８が、軸路１０６内で下部開口部１０８ｂを超えて配置するために前進させられると、エンドキャップバイパスプラグ１０の少なくとも１つの上部脚部材１４ａの各脚部材１４ａ1〜１４ａ4の下縁３４は、軸路１０６の通路面１０６ａと係合し得る。エンドキャップバイパスプラグ１０の少なくとも１つの上部脚部材１４ａの各脚部材１４ａ1〜１４ａ4の下縁３４が、通路面１１０と係合するとき、少なくとも１つの上部脚部材１４ａの各脚部材１４ａ1〜１４ａ4は、柔軟に偏向される半径方向に内向きに付勢される配向で留まり得る。
【００５５】
図９Ｂ’’’’に見られるように、一旦少なくとも１つの上部脚部材１４ａの各脚部材１４ａ1〜１４ａ4の下縁３４が、軸路１０６内を、エンドキャップ１０２ａの環状本体１０４の上面１０４ａによって形成される上部開口部１０８ａを超えて挿入されると、エンドキャップバイパスプラグ１０は、エンドキャップ１０２ａに摺動可能に取り付けられると言ってもよい。一旦少なくとも１つの上部脚部材１４ａの各脚部材１４ａ1〜１４ａ4の下縁３４が、上部開口部１０８ａを超えて配置されると、少なくとも１つの上部脚部材１４ａの各脚部材１４ａ1〜１４ａ4は、半径方向に外向きに、中心軸Ａ−Ａから離れて柔軟に偏向される（即ち、少なくとも１つの上部脚部材１４ａの各脚部材１４ａ1〜１４ａ4は、半径方向に内向きに付勢される配向から非付勢の静止配向へ戻るように柔軟に偏向される）。
【００５６】
一旦少なくとも１つの上部脚部材１４ａの各脚部材１４ａ1〜１４ａ4が、非付勢の静止配向に戻されると、少なくとも１つの上部脚部材１４ａの各脚部材１４ａ1〜１４ａ4の下縁３４によって画定される直径Ｄ34は、エンドキャップ１０２ａの軸路１０６の直径Ｄ106よりも大きくなるまで戻され、結果として、少なくとも各脚部材１４ａ1〜１４ａ4のエンドキャップバイパスプラグ１０の頭部２２および鼻部２６は、軸路１０６に再度入ることを阻止され、それにより、エンドキャップバイパスプラグ１０が、エンドキャップ１０２ａから摺動可能に切断されることを抑制する（即ち、各脚部材１４ａ1〜１４ａ4の鼻部２６の下面３０は、エンドキャップ１０２ａの上面１１４に近接して配置され得、少なくとも頭部２２および鼻部２６が軸路１０６に入ることを阻止する）。
【００５７】
エンドキャップバイパスプラグ１０のエンドキャップ１０２ａへの摺動可能な取り付けは、エンドキャップ１０２ａによって形成される軸路１０６によって画定される直径Ｄ106に対して、エンドキャップバイパスプラグ１０の相対的寸法（例えば、直径Ｄ12c、Ｄ20、Ｄ34）の結果として実現され得る。第一に、エンドキャップ１０２ａによって形成される軸路１０６によって画定される直径Ｄ106よりも大きい、各脚部材１４ａ1〜１４ａ4の下縁３４と、エンドキャップバイパスプラグ１０の環状本体１２の外側面１２ｃとによって画定される直径Ｄ12c、Ｄ34の結果として、エンドキャップバイパスプラグ１０の各脚部材１４ａ1〜１４ａ4の頭部２２および鼻部２６、ならびにエンドキャップバイパスプラグ１０の環状本体１２は、軸路１０６内に入ることを阻止され、それにより、エンドキャップバイパスプラグ１０が、エンドキャップ１０２ａから取り外されることを阻止する。第二に、エンドキャップ１０２ａに関するエンドキャップバイパスプラグ１０の摺動可能な配向は、軸路１０６によって画定される直径Ｄ106にほぼ等しいが僅かにそれ未満である、各脚部材１４ａ1〜１４ａ4の各可撓性の幹部１６の外向面２０によって画定される直径Ｄ20の結果として許容される。結果として、各脚部材１４ａ1〜１４ａ4の外向面２０は、軸路１０６の通路面１０６ａに近接して摺動可能に配設され得る。いくつかの実現形態において、各脚部材１４ａ1〜１４ａ4の外向面２０によって画定される直径Ｄ20は、軸路１０６によって画定される直径Ｄ106とほぼ等しいが僅かにそれ未満であるため、外向面２０は、軸路１０６の通路面１０６ａと摩擦的に係合し得る。
【００５８】
図１２〜１４は、２００で概ね示されるフィルタアセンブリの例示的な実現形態を示す。フィルタアセンブリ２００は、エンドキャップアセンブリ１００のエンドキャップ１０２と、エンドキャップ１０２ｂとの間に配置されるフィルタ媒体２０２を含む。
【００５９】
エンドキャップアセンブリ１００のエンドキャップ１０２ａは、以下、「第１のエンドキャップ」または「上部エンドキャップ」を指し得る。上部エンドキャップ１０２ａの下面１０４ｂの一部分は、フィルタ媒体２０２の上端／遠位端２０２ａに近接して配設される。
【００６０】
エンドキャップ１０２ｂは、以下、「第２のエンドキャップ」または「下部エンドキャップ」を指し得る。下部エンドキャップ１０２ｂの上面１１２ａは、フィルタ媒体２０２の下端／近位端２０２ｂに近接して配設される。
【００６１】
任意の所望の材料（例えば、接着剤など）が、以下を接合するために利用され得る：（１）フィルタ媒体２０２の上部遠位端２０２ａに近接した、上部エンドキャップ１０２ａの下面１０４ｂの部分、（２）フィルタ媒体２０２の近位端２０２ｂに近接した、下部エンドキャップ１０２ｂの上面１１２ａ。中心軸Ａ−Ａは、以下の各々の軸の中心を通って軸方向に延在し得る：エンドキャップバイパスプラグ１０、上部エンドキャップ１０２ａ、下部エンドキャップ１０２ｂ、およびフィルタ媒体２０２。
【００６２】
図１５Ａ〜１５Ｂは、キャニスタ３０２の例示的な実現形態を示す。図１５Ｃは、キャニスタ３０２およびカバー３０４の例示的な実現形態を示す。図１５Ｃ〜１５Ｄは、キャニスタ３０２およびカバー３０４を含む、３００で概ね示されるエンクロージャの例示的な実現形態を示す。図１５Ｃ〜１５Ｄに見られるように、カバー３０４は、例えば、エンクロージャ３００を形成するためのねじ接続を介してキャニスタ３０２に着脱可能に固定される。１つ以上のキャニスタ３０２の内側表面およびカバー３０４は、空洞３０６を画定し得る。中心軸Ａ−Ａは、キャニスタ３０２およびカバー３０４の各々の軸の中心を通って軸方向に延在し得る。（図１５Ｂ〜１５Ｃに見られる）空洞３０６を有するフィルタアセンブリ２００を配置して、その後、エンクロージャ３００（図１５Ｃ〜１５Ｄに見られる）を有するフィルタアセンブリ２００を含むためのキャニスタ３０２のカバー３０４に接続する際、中心軸Ａ−Ａは、以下の各々の軸の中心を通って軸方向に延在し得る：キャニスタ３０２、カバー３０４、エンドキャップバイパスプラグ１０、上部エンドキャップ１０２ａ、下部エンドキャップ１０２ｂ、およびフィルタ媒体２０２。
【００６３】
図１５Ａを参照して、キャニスタ３０２は、遠位端３０２ａおよび近位端３０２ｂを含み得る。遠位端３０２ａは、フィルタアセンブリ２００の空洞３０６内への挿入を許容するキャニスタ開口部３０８を形成する。キャニスタ３０２の近位端３０２ｂは、少なくとも１つの流体流入ポート３１０および少なくとも１つの流体流出ポート３１２を形成する。少なくとも１つの流体流入ポート３１０は、（例えば、図１５Ｅ〜１５Ｇに見られる）流体Ｆのエンクロージャ３００内への流入を許容し、少なくとも１つの流体流出ポート３１２は、流体Ｆがエンクロージャ３００（例えば、図１５Ｅおよび１５Ｇに見られる）から流出することを許容する。中心軸Ａ−Ａは、少なくとも１つの流体流出ポート３１２の軸の中心を通って軸方向に延在し得る。
【００６４】
図１５Ａに見られるように、スタンドパイプ３１４は、キャニスタ３０２の空洞３０６内で配置され得る。一実現形態において、スタンドパイプ３１４は、遠位端３１４ａおよび近位端３１４ｂを含み得る。スタンドパイプ３１４の近位端３１４ｂは、キャニスタ３０２の近位端３０２ｂから一体的に延在し得る。他の実現形態において、スタンドパイプ３１４の近位端３１４ｂは、キャニスタ３０２の近位端３０２ｂに、例えば、ねじ接続、接着剤接続、機械的接続、摩擦嵌め接続、または同種のものを介して着脱可能に接続され得る。中心軸Ａ−Ａは、スタンドパイプ３１４の軸の中心を通って軸方向に延在する。
【００６５】
スタンドパイプ３１４は、概ね、内面３１６ａと、外面３１６ｂと、内面３１６ａと外面３１６ｂとを接続する遠位端面３１６ｃとを有する管状本体３１６によって画定される。管状本体３１６は、キャニスタ３０２の近位端３０２ｂから離れて延在して、遠位端面３１６ｃで終了し、それによって、スタンドパイプ３１４の遠位端３１４ａを画定し、遠位端面３１６ｃは、キャニスタ３０２の遠位端３０２ａの近くに配置され得え、管状本体３１６の遠位端面３１６ｃが、キャニスタ開口部３０８を形成するキャニスタ３０２の遠位端３０２ａ（１）と実質的に位置合わせされ得る、（２）を超えて延在し得る、または（３）に及ばず延在し得るようにする。図示される図１５Ａの実施形態において、スタンドパイプ３１４の管状本体３１６の遠位端面３１６ｃは、キャニスタ３０２の遠位端３０２ａを僅かに超えて延在する。
【００６６】
管状本体３１６は、流体流出ポート３１２と流体連通している軸方向流体流通路３１８を形成し得る。軸方向流体流通路流体流出ポート３１２および軸方向流体流通路３１８の両方が、軸Ａ−Ａと同軸方向に位置合わせされ得る。
【００６７】
管状本体３１６は、流体Ｆがスタンドパイプ３１４の軸方向流体流通路３１８に流入することを許容する複数の開口部３２０をさらに形成し得る。複数の開口部３２０は、軸方向開口部３２０ａおよび少なくとも１つの半径方向開口部３２０ｂによって画定され得る。軸方向開口部３２０ａは、管状本体３１６の遠位端面３１６ｃによって形成され、軸Ａ−Ａと同軸方向に位置合わせされ得る。少なくとも１つの半径方向開口部３２０ｂは、管状本体３１６の厚さＴ316を通って延在し、管状本体３１６の厚さＴ316は、管状本体３１６の内面３１６ａおよび外面３１６ｂによって結合される。少なくとも１つの半径方向開口部３２０ｂは、軸Ａ−Ａに実質的に垂直または直交して配置され得る。
【００６８】
スタンドパイプ３１４の外面３１６ｂは、遠位端３１４ａと、スタンドパイプ３１４の近位端３１４ｂとの間で、１つ以上の半径方向に外向きに延在するリブ３２２を画定し得る。いくつかの実現形態において、１つ以上の半径方向に外向きに延在するリブ３２２が、連続螺旋でスタンドパイプ３１４の外面３１６ｂ上に配置され得る。機能的には、１つ以上の半径方向に外向きに延在するリブ３２２は、スタンドパイプ３１４の長さに沿って、流体Ｆの移動を容易にし、ならびに、フィルタ媒体２０２の内面２０４が１つ以上の半径方向に外向きに延在するリブ３２２と直接係合する場合、フィルタ媒体２０２の内面２０４に沿って均一なサポートを提供し得る。
【００６９】
スタンドパイプ３１４の内面３１６ａは、半径方向に内向きに延在するリブ３２４を画定し得る。半径方向に内向きに延在するリブ３２４は、スタンドパイプ３１４の遠位端３１４ａの近くに配置され得る。半径方向に内向きに延在するリブ３２４は、上部棚面３２６ａに対向して配置される上部棚面３２６ａおよび下部棚面３２６ｂを画定し得る。半径方向に内向きに延在するリブ３２４は、上部棚面３２６ａと下部棚面３２６ｂとの間で半径方向に内向きに延在するリブ３２４を通って延在する中心通路３２８を画定し得る。中心通路３２８は、流体Ｆが半径方向に内向きに延在するリブ３２４（例えば、図１５Ｇに見られる）内を流れることを許容し、結果として、中心通路３２８は、スタンドパイプ３１４の軸方向流体流通路３１８の一部分を形成し得る。
【００７０】
バイパス弁３３０は、半径方向に内向きに延在するリブ３２４によって形成される中心通路３２８内に配置され得る。中心軸Ａ−Ａは、バイパス弁３３０の軸の中心を通って軸方向に延在し得る。バイパス弁３３０は、中心軸Ａ−Ａに沿って中心通路３２８内に移動可能に配置される。
【００７１】
バイパス弁３３０は、遠位端３３０ａおよび近位端３３０ｂを含む。バイパス弁３３０は、遠位端３３０ａと近位端３３０ｂとの間に延在する本体３３２を含む。本体３３２は、半径方向に内向きに延在するリブ３２４によって形成される中心通路３２８の寸法（例えば、直径）に実質的に等しいが、それより僅かに小さい寸法（例えば、直径）を含み得る。
【００７２】
バイパス弁３３０の遠位端３３０ａは、上部頭面３３６および下部頭面３３８を有する頭部３３４を形成する。頭部３３４は、半径方向に内向きに延在するリブ３２４によって形成される中心通路３２８の寸法（例えば、直径）より僅かに大きい寸法（例えば、直径）を含み得る。
【００７３】
バイパス弁３３０の近位端３３０ｂは、上部脚面３４２を有する脚部分３４０を形成する。脚部分３４０は、半径方向に内向きに延在するリブ３２４によって形成される中心通路３２８の寸法（例えば、直径）より僅かに大きい寸法（例えば、直径）を含み得る。
【００７４】
コイルスプリング３４４は、バイパス弁３３０の本体３３２の周辺に配置され得る。コイルスプリング３４４は、遠位端３４４ａおよび近位端３４４ｂを含む。コイルスプリング３４４の遠位端３４４ａは、バイパス弁３３０の頭部３３４の下部頭面３３８に近接して配置され得る。コイルスプリング３４４の近位端３４４ｂは、半径方向に内向きに延在するリブ３２４の上部棚面３２６ａに近接して配置され得る。
【００７５】
機能的には、コイルスプリング３４４は、バイパス弁３３０の頭部３３４を、半径方向に内向きに延在するリブ３２４の上部棚面３２６ａから軸方向に遠ざかるよう促す付勢力（矢印Ｆ344の方向）を適用する。コイルスプリング３４４によって与えられる力Ｆ344より大きく、かつそれに対向する軸方向の力（例えば、図１５Ｃ、１５Ｄ、１５Ｇに見られる矢印Ｆ344’の方向）が、頭部３３４の上部頭面３３６に適用されるとき、バイパス弁３３０の頭部３３４は、半径方向に内向きに延在するリブ３２４の上部棚面３２６ａへ向かって促進され、それによって、頭部３３４の下部頭面３３８と半径方向に内向きに延在するリブ３２４の上部棚面３２６ａとの間のコイルスプリング３４４を圧縮し得る。軸方向の力Ｆ344’が、頭部３３４の上部頭面３３６にもはや適用されないとき、コイルスプリング３４４は、伸びることを許容され、結果として、コイルスプリング３４４によって与えられる付勢力Ｆ344は、バイパス弁３３０の頭部３３４を半径方向に内向きに延在するリブ３２４の上部棚面３２６ａから遠ざかるよう促す。
【００７６】
図１５Ａに見られるように、空洞３０６内にフィルタアセンブリ２００を挿入する前に、コイルスプリング３４４は、実質的に完全に伸びた状態で配置される。コイルスプリング３４４の実質的に完全に伸びた状態は、バイパス弁３３０の脚部分３４０の上部脚面３４２が、半径方向に内向きに延在するリブ３２４の下部棚面３２６ｂに近接して配置され、それによって、バイパス弁３３０が、半径方向に内向きに延在するリブ３２４によって形成される中心通路３２８内に促進されること、スタンドパイプ３１４から切断されることを妨げる結果となる。
【００７７】
図１５Ｂ〜１５Ｃを参照して、フィルタアセンブリ２００が、空洞３０６内に挿入されるとき、フィルタ媒体２０２は、（図１５Ｃに見られる）スタンドパイプ３１４に外接して囲み、エンドキャップバイパスプラグ１０の環状本体１２の下面１２ｂから延在する少なくとも１つの下部脚部材１４ｂの各脚部材１４ｂ1〜１４ｂ4は、（図１５Ｃに見られる）バイパス弁３３０の頭部３３４の上部頭面３３６に近接して配設され得る。エンドキャップバイパスプラグ１０の各脚部材１４ｂ1〜１４ｂ4とバイパス弁３３０の頭部３３４の上部頭面３３６との接触の結果として、フィルタアセンブリ２００の重さがバイパス弁３３０によって支えられる結果として、フィルタアセンブリ２００は、軸方向の力Ｆ344’をバイパス弁３３０に与え得、該バイパス弁３３０は、半径方向に内向きに延在するリブ３２４によって形成される中心通路３２８内に僅かに促進され、それによってコイルスプリング３４４を僅かに圧縮し得るバイパス弁３３０をもたらす。
【００７８】
エンドキャップバイパスプラグ１０の少なくとも１つの下部脚部材１４ｂの各脚部材１４ｂ1〜１４ｂ4の実現形態が、上で説明されるように、バイパス弁３３０頭部３３４の上部頭面３３６に近接して配設され得るが、本発明はこのような実施形態に限定されない。例えば、少なくとも１つの下部脚部材１４ｂをエンドキャップバイパスプラグ１０の設計から省略するエンドキャップバイパスプラグ１０の実現形態において、バイパス弁３３０の頭部３３４の上部頭面３３６は、エンドキャップバイパスプラグ１０の環状本体１２の下面１２ｂに接近して直接配設され得る。
【００７９】
図１５Ｃ〜１５Ｄを参照して、カバー３０４が、エンクロージャ３００内にフィルタアセンブリ２００を含むためにキャニスタ３０２に接続されると、カバー３０４の内面３４８から延在する軸方向に延在する突出部３４６が係合して、（図１５Ｄに見られるように）エンドキャップ１０２ａの上面１０４ａに軸方向の力Ｆ344’をさらに及ぼすことができる。バイパス弁３３０にさらに及ぼされる軸方向の力Ｆ344’は、バイパス弁３３０が、半径方向に内向きに延在するリブ３２４によって形成される中心通路３２８内にさらに僅かに促進され、これによって、コイルスプリング３４４をさらに僅か圧縮する結果をもたらし得る。カバー３０４をキャニスタに接続した後、コイルスプリング３４４から起こる付勢力Ｆ344，は、バイパス弁３３０の頭部３３４の上部頭面３３６をエンドキャップバイパスプラグ１０の少なくとも１つの下部脚部材１４ｂの各脚部材１４ｂ1〜１４ｂ4に向かって促進し、これは、上で説明されるようにエンドキャップアセンブリ１００が密封配向に維持されることをもたらす（即ち、コイルスプリング３４４から起こる付勢力Ｆ344が、バイパス弁３３０を介してエンドキャップバイパスプラグ１０に間接的に適用され、例えば、上部エンドキャップ１０２ａの下面１０４ｂなどの任意の表面部分とさらに直接係合するバイパス弁３３０なしに、上部エンドキャップ１０２ａに対して密封配向でエンドキャップバイパスプラグ１０と係合する）。
【００８０】
図１５Ｅ〜１５Ｇを参照して、エンドキャップアセンブリ１００を含むフィルタアセンブリ２００を利用する方法の実現形態が、説明される。カバー３０４をキャニスタ３０２に接続する際、フィルタアセンブリ２００を含む空洞３０６は、大気周囲Ａから密封される。次いで、図１５Ｅに見られるように、流体Ｆは、流入ポート３１０を介して空洞３０６に流入することを許容される。次いで、流体Ｆは、フィルタ媒体２０２の外側表面２０６においてフィルタ媒体２０２に半径方向に流入し得、その後、フィルタ媒体２０２の内面２０４においてフィルタ媒体２０２から流出する。フィルタ媒体２０２の外側表面２０６の周辺に配設される流体Ｆは、「濾過されていない流体」と呼ばれ得、（フィルタ媒体２０２の外側表面２０６で）フィルタ媒体２０２に半径方向に流出し、次いで、その後、（フィルタ媒体２０２の内面２０４で）フィルタ媒体２０２から流出する流体Ｆは、「濾過された流体」と呼ばれ得る。濾過された流体Ｆは、次いで、スタンドパイプ３１４の少なくとも１つの半径方向開口部３２０ｂに流入し得、流体システムの下流構成要素による受け取りのために流出ポート３１２において空洞３０６から流出する。一実施例において、フィルタアセンブリ２００を含むエンクロージャ３００は、流体システムに接続され得る（図示されず）。いくつかの実現形態において、流体システムは、濾過されていない流体Ｆを流入３１０ポートを介して受け取り、流出ポート３１２を介して濾過物を内燃機関に返す内燃機関（図示されず）を含み得る。
【００８１】
上の図１５Ｅで説明されるように、濾過されていない流体Ｆが外側表面２０６から内側表面２０４へフィルタ媒体２０２を通過する、ある期間の後、フィルタ媒体２０２は、濾過されていない流体によって先に含有された不純物で充満するようになり得る。結果として、フィルタ媒体２０２は、最終的に、不純物で詰まり得る。
【００８２】
図１５Ｆを参照して、フィルタ媒体２０２は不純物で詰まるようになったとき、濾過されていない流体Ｆは、フィルタ媒体２０２を通って外側表面２０６から内側表面２０４へ通過することから阻止される。結果として、濾過されない流体Ｆは、少なくとも、（１）フィルタ媒体２０２の外側表面２０６、（２）上部エンドキャップ１０２ａの環状本体１０４の上面１０４ａ、（３）コイルスプリング３４４によって与えられる付勢力Ｆ344の適用によって、上部エンドキャップ１０２ａに対して密封配向に付勢される、エンドキャップバイパスプラグ１０によって流動的に密封され、かつ閉鎖される上部エンドキャップ１０２ａの全軸路１０６の周辺で空洞３０６を満たす。
【００８３】
フィルタ媒体２０２が不純物で詰まり、濾過されていない流体Ｆが流入ポート３１０を介して空洞３０６内にさらに堆積された結果として、濾過されていない流体Ｆが、最終的に、上部エンドキャップ１０２ａの軸路１０６内に濾過されていない流体力Ｆ344’の圧力蓄積をもたらす。濾過されていない流体力Ｆ344’は、コイルスプリング３４４によって与えられる付勢力Ｆ344に対向する。
【００８４】
図１５Ｇを参照して、濾過されていない流体力Ｆ344’が、コイルスプリング３４４によって与えられる付勢力Ｆ344より大きくなるとき、エンドキャップアセンブリ１００は、（上の図９Ｃ、１０、１０’に見られ、説明される）密封配向から（上の図９Ｄ、１１、１１’に見られ、説明される）非密封配向に移行するように、上部エンドキャップ１０２ａの軸路１０６内の濾過されていない流体Ｆは、エンドキャップバイパスプラグ１０の環状本体１２の上面１２ａを、エンドキャップ１０２ａの環状本体１０４の下面１０４ｂから遠ざかるよう促し、したがって、結果として、エンドキャップバイパスプラグ１０の環状本体１２の上面１２ａは、エンドキャップ１０２ａの環状本体１０４の下面１０４ｂに対して対向離間関係で配置される。上の図１１’に示され、説明されるように、非密封配向で配置されるとき、上部エンドキャップ１０２ａの軸路１０６およびエンドキャップバイパスプラグ１０の少なくとも１つの半径方向通路３８は、少なくとも１つの流体流バイパス通路１１０を形成するように協働し、少なくとも１つの流体流バイパス通路１１０は、濾過されていない流体Ｆがそこを通って流れることを許容し、それによって、上部エンドキャップ１０２ａの軸路１０６内に蓄積した濾過されていない流体Ｆ（および濾過されていない流体力Ｆ344’）の圧力を緩和する。したがって、エンドキャップアセンブリ１００が非密封配向で配置された結果として、濾過されていない流体Ｆは、（１）エンドキャップ１０２ａの環状本体１０４の上面１０４ａの周辺から、（２）エンドキャップ１０２ａの上面１０４ａによって形成される上部開口部１０８ａ内に流れ、（３）軸路１０６内を軸方向に軸方向流体流路ＦAに沿って流れ、（４）エンドキャップ１０２ａの下面１０４ｂによって形成される下部開口部１０８ｂから流れ、（５）少なくとも１つの半径方向通路３８内を半径方向に半径方向流体流路ＦRに沿って流れ、かつ（６）エンドキャップ１０２ａの環状本体１０４の下面１０４ｂの周辺に流れることが許容される。
【００８５】
上に説明されるように、コイルスプリング３４４から起こる付勢力Ｆ344が、バイパス弁３３０を介してエンドキャップバイパスプラグ１０に間接的に適用され、上部エンドキャップ１０２ａに対して密封配向でエンドキャップバイパスプラグ１０を配置する。結果として、バイパス弁３３０の頭部３３４の上部頭面３３６は、上部エンドキャップ１０２ａのいかなる部分（例えば、下面１０４ｂ、下部開口部１０８ｂ、または同種のものなど）とも直接係合せず、これは、エンドキャップバイパスプラグ１０の不在下で、あるいは別の方法で、上部エンドキャップ１０２ａ（例えば、下面１０４ｂ、下部開口部１０８ｂ、または同種のものなど）の一部分と直接係合するバイパス弁３３０の頭部３３４の上部頭面３３６をもたらすものである。
【００８６】
エンドキャップバイパスプラグ１０は、エンドキャップアセンブリ１００およびフィルタアセンブリ２００に関連して上で説明されているが、エンドキャップアセンブリ１００およびフィルタアセンブリ２００の実施形態は、エンドキャップバイパスプラグ１０に限定されず、（例えば、図１６〜２０および図２２〜２６に見られる）他のエンドキャップバイパスプラグが、代替的なフィルタアセンブリを形成するために利用され得る（例えば、図２１Ａ〜２１Ｂおよび２７Ａ〜２Ｂに見られる）代替的なエンドキャップアセンブリを形成するために利用され得ることが企図される。代替的なエンドキャップバイパスプラグの実現形態が、概ね、１０’（例えば、図１６〜２０を参照されたい）、および１０’’（例えば、図２２〜２６を参照されたい）にそれぞれ示されている。
【００８７】
一実現形態において、エンドキャップバイパスプラグ１０’は、上面１２ａ’、下面１２ｂ’、および上面１２ａ’と下面１２ｂ’とを接合する外側面１２ｃ’とを有する環状本体１２’を含む。環状本体１２’の外側面１２ｃ’は、エンドキャップバイパスプラグ１０’の寸法（例えば、図１７に見られる直径Ｄ12c’）を画定し得る。中心軸Ａ−Ａは、（図１７に見られる）バイパスプラグ１０’の環状本体１２’の軸の中心Ｃ12’を通って軸方向に延在し得る。
【００８８】
脚部材１４’は、環状本体１２’の１つ以上の上面１２ａ’および下面１２ｂ’と一体であり得、それから離れるように延在する。脚部材１４’は、少なくとも１つの上部脚部材１４ａ’および少なくとも１つの下部脚部材１４ｂ’を含み得る。少なくとも１つの上部脚部材１４ａ’は、環状本体１２’の上面１２ａ’から延在し得る。少なくとも１つの下部脚部材１４ｂ’は、環状本体１２’の下面１２ｂ’から延在し得る。一実現形態において、少なくとも１つの脚部材１４ａ’、１４ｂ’はそれぞれ、４つの上部脚部材１４ａ1’〜１４ａ4’および４つの下部脚部材１４ｂ1’〜１４ｂ4’を含むように画定され得る。エンドキャップバイパスプラグ１０’は、少なくとも１つの上部脚部材１４ａ’および少なくとも１つの下部脚部材１４ｂ’を有する脚部材１４’を含むように説明されるが、いくつかの実現形態において、少なくとも１つの下部脚部材１４ｂ’は、エンドキャップバイパスプラグ１０’の設計から省略され得る。
【００８９】
一実現形態において、少なくとも１つの上部脚部材１４ａ’の各脚部材１４ａ1’〜１４ａ4’は、環状本体１２’の上面１２ａ’から離れるように延在する可撓性の幹部１６’を含み得る。各可撓性の幹部１６’は、内向面１８’および外向面２０’を含み得る。内向面１８’および外向面２０’は、弓形形状を含むように各可撓性の幹部１６’を画定する。一実現形態において、少なくとも１つの下部脚部材１４ｂ’の各脚部材１４ｂ1’〜１４ｂ4’は、上で説明されるように可撓性の幹部１６’に対して、実質的に類似の寸法を含む。
【００９０】
少なくとも１つの下部脚部材１４ｂ’の各脚部材１４ｂ1’〜１４ｂ4’は、少なくとも１つの上部脚部材１４ａ’の各脚部材１４ａ1’〜１４ａ4’の可撓性の幹部１６’に実質的に類似の寸法を含むが、少なくとも１つの下部脚部材１４ｂ’の各脚部材１４ｂ1’〜１４ｂ4’は、少なくとも１つの上部脚部材１４ａ’の各脚部材１４ａ1’〜１４ａ4’のそれらと類似の長さの寸法を共有しない。例えば、図１９に見られるように、少なくとも１つの上部脚部材１４ａ’の各脚部材１４ａ1’〜１４ａ4’は、長さＬ14a’で上面１２ａ’から離れるように延在し得る一方、少なくとも１つの下部脚部材１４ｂ’の各脚部材１４ｂ1’〜１４ｂ4’は、長さＬ14b’で下面１２ｂ’から離れるように延在し得る。少なくとも１つの下部脚部材１４ｂ’の各脚部材１４ｂ1’〜１４ｂ4’の長さＬ14b’は、少なくとも１つの上部脚部材１４ａ’の各脚部材１４ａ1’〜１４ａ4’の長さＬ14a’の約８分の１にほぼ等しくてもよい。エンクロージャ３００のカバー３０４が、軸方向に延在する突出部３４６を含まない、または、例えば、エンドキャップ１０２ａの上面１０４ａとカバー３０４の内面３４８との間により大きな空間が存在する状況において、長さＬ14a’、Ｌ14b’の違いは、有利であり得る。他の実現形態において、エンドキャップバイパスプラグ１０に関して上に見られるように、少なくとも１つの上部および下部脚部材１４ａ、１４ｂは、同じ長さおよび幾何学形状を含み、対称的に設計され、結果として、エンドキャップバイパスプラグ１０が、エンドキャップ１０２ａに接合されるとき、担当者またはロボット装置は、どのエンドキャップバイパスプラグ１０の側面が、エンドキャップ１０２ａの軸路１０６内に挿入されるべき、少なくとも１つの上部脚部材１４ａを構成するか識別することを懸念する必要がない。
【００９１】
いくつかの実現形態において、各可撓性の幹部１６’の内向面１８’は、環状本体１２’の軸の中心を通って、半径／半径方向距離ｄ18’で延在する中心軸Ａ−Ａから同程度に離間され得る（図１７に見られる）。結果として、各脚部材１４ａ1’〜１４ａ4’の内向面１８’が、半径方向距離ｄ18’で中心軸Ａ−Ａから同程度に離間され、円形配向で集合的に配置される場合、少なくとも１つの上部脚部材１４ａ’の各脚部材１４ａ1’〜１４ａ4’の内向面１８’は、エンドキャップバイパスプラグ１０’の寸法（例えば、図１７に見られる直径Ｄ18’）を画定し得る。一実現形態において、少なくとも１つの下部脚部材１４ｂ’の各脚部材１４ｂ1’〜１４ｂ4’は、上で説明されるように内向面１８’に対して実質的に類似の寸法を含む。
【００９２】
各可撓性の幹部１６’の外向面２０’は、半径／半径方向距離ｄ20’で環状本体１２’の軸の中心を通って延在する中心軸Ａ−Ａから同程度に離間され得る（図１７に見られる）。結果として、各脚部材１４ａ1’〜１４ａ4’の外向面２０’が、半径方向距離ｄ20’で中心軸Ａ−Ａから同程度に離間され、円形配向で集合的に配置される場合、少なくとも１つの上部脚部材１４ａ’の各脚部材１４ａ1’〜１４ａ4’の外向面２０’は、エンドキャップバイパスプラグ１０’の寸法（例えば、図１７に見られる直径Ｄ20’）を画定し得る。一実現形態において、少なくとも１つの下部脚部材１４ｂ’の各脚部材１４ｂ1’〜１４ｂ4’は、上で説明されるように、外向面２０’に対して実質的に類似の寸法を含む。
【００９３】
図１６を参照して、少なくとも１つの上部脚部材１４ａ’の各脚部材１４ａ1’〜１４ａ4’の各可撓性の幹部１６’は、頭部２２’で終了する。頭部２２’は、上面２４’を含む。上面２４’は、弓形形状を含むように各頭部２２’を画定する（図１７に見られる）。一実現形態において、少なくとも１つの下部脚部材１４ｂ’の各脚部材１４ｂ1’〜１４ｂ4’は、少なくとも１つの上部脚部材１４ａ’の各脚部材１４ａ1’〜１４ａ4’に関して上で説明されるように頭部２２を含まない。むしろ、少なくとも１つの下部脚部材１４ｂ’の各脚部材１４ｂ1’〜１４ｂ4’は、遠位端面を含み、該遠位端面は、少なくとも１つの上部脚部材１４ａ’の各脚部材１４ａ1’〜１４ａ4’の上面２４’として、同じ参照番号２４’を共有し得る。
【００９４】
図１６を参照して、少なくとも１つの上部脚部材１４ａ’の各脚部材１４ａ1’〜１４ａ4’の頭部２２’は、各頭部２２’から半径方向に外向きに延在する鼻部２６’をさらに含み得る。一実現形態において、鼻部２６’は、傾斜面２８’および下面３０’によって画定され得る。傾斜面２８’および下面３０’は、弓形形状を含むように各鼻部２６’を画定する（図１７に見られる）。一実現形態において、少なくとも１つの下部脚部材１４ｂ’の各脚部材１４ｂ1’〜１４ｂ4’は、上で説明されるように鼻部を含まない。
【００９５】
図１６〜１７に見られるように、鼻部２６’の傾斜面２８’は、上縁３２’を画定するように頭部２２’の上面２４’に接続される。上縁３２’は、弓形形状であり得る。少なくとも１つの上部脚部材１４ａ’の各脚部材１４ａ1’〜１４ａ4’の各鼻部２６’の上縁３２’は、半径／半径方向距離ｄ32’で環状本体１２’の軸の中心を通って延在する中心軸Ａ−Ａから同程度に離間され得（図１７に見られる）、結果として、各脚部材１４ａ1’〜１４ａ4’の上縁３２’が、半径方向距離ｄ32’で中心軸Ａ−Ａから同程度に離間され、円形配向で集合的に配置され得る場合、少なくとも１つの上部脚部材１４ａ’の上縁３２’の各脚部材１４ａ1’〜１４ａ4’は、エンドキャップバイパスプラグ１０’の寸法（例えば、図１７に見られる直径Ｄ32’）を画定し得る。いくつかの実現形態において、少なくとも１つの上部脚部材１４ａ’の各脚部材１４ａ1’〜１４ａ4’の外向面２０’によって画定される直径Ｄ20’は、少なくとも１つの上部脚部材１４ａ’の上縁３２’の各脚部材１４ａ1’〜１４ａ4’によって画定される直径Ｄ32’にほぼ等しくてもよい。
【００９６】
図２０を参照して、いくつかの実現形態において、鼻部２６’の傾斜面２８’は、角度θ’で頭部２２’の上面２４’に接続される。一実施例において、角度θ’は、ほぼ約１２０度に等しくてもよい。
【００９７】
図１６を参照して、鼻部２６’の下面３０’は、可撓性の幹部１６’の外向面２０’および鼻部２６’の傾斜面２８’の両方に接続される。場合によっては、図２０に見られるように、鼻部２６’の下面３０’は、可撓性の幹部１６’の外向面２０’に実質的に垂直配向で接続される。
【００９８】
鼻部２６’の傾斜面２８’は、下縁３４’を画定するように鼻部２６’の下面３０’に接続される。図１７に見られるように、下縁３４’は弓形形状であり得る。少なくとも１つの上部脚部材１４ａ’の各脚部材１４ａ1’〜１４ａ4’の各鼻部２６’の下縁３４’は、環状本体１２’の軸の中心を通って、（図１７に見られる）半径／半径方向距離ｄ34’で延在する中心軸Ａ−Ａから同程度に離間され得、結果として、各脚部材１４ａ1’〜１４ａ4’の下縁３４’が、半径方向距離ｄ34’で中心軸Ａ−Ａから同程度に離間され、円形配向で集合的に配置される場合、少なくとも１つの上部脚部材１４ａ’の下縁３４’の各脚部材１４ａ1’〜１４ａ4’は、エンドキャップバイパスプラグ１０’の寸法（例えば、図１７に見られる直径Ｄ34’）を画定し得る。
【００９９】
図１７を参照して、いくつかの実現形態において、少なくとも１つの上部脚部材１４ａ’の４つの脚部材１４ａ1’〜１４ａ4’は各々、弓形距離Ｄ14’によって同程度に離間され得る。弓形距離Ｄ14’は、エンドキャップバイパスプラグ１０’の軸の中心を通って延在する中心軸Ａ−Ａから参照される、それらの間に半径方向流体流路（エンドキャップバイパスプラグ１０の半径方向流体流路ＦRに類似である）を画定する、少なくとも１つの半径方向通路３８’（即ち、４つの半径方向通路３８1’〜３８4’）を形成する、４つの脚部材１４ａ1’〜１４ａ4’の隣接した脚部材をもたらす。一実現形態において、少なくとも１つの下部脚部材１４ｂ’の各脚部材１４ｂ1’〜１４ｂ4’は、上で説明されるように、弓形距離Ｄ14で実質的に類似の寸法を含む。
【０１００】
図２１Ａ〜２１Ｂを参照して、エンドキャップアセンブリ１００の実施形態は、エンドキャップバイパスプラグ１０’がエンドキャップ１０２ａと移動可能に接続される接続されるように、エンドキャップ１０２ａの軸路１０６内に配置されるエンドキャップバイパスプラグ１０’を含む。エンドキャップバイパスプラグ１０’は、エンドキャップバイパスプラグ１０’とエンドキャップ１０２ａとを接合するエンドキャップ１０２ａの軸路１０６内に挿入されるとき、（上の図９Ｂ’〜９Ｂ’’’’に見られる実質的に類似の方法で）偏向され得るか、または材料的に変形され得る。エンドキャップバイパスプラグ１０’は、バイパスプラグ１０’およびエンドキャップ１０２ａの各々の軸の中心を通って軸方向に延在する中心軸Ａ−Ａに沿って移動可能に配置される。エンドキャップ１０２ａは、上の図６〜８に示され、説明されるものと同じ設計を含む。
【０１０１】
エンドキャップバイパスプラグ１０が、少なくとも２つの配向のうちの一方で配置されるようにエンドキャップアセンブリ１００を構成するために、エンドキャップ１０２ａの軸路１０６内に移動可能に配置されることが許容される。第１の配向は、流動的非密封配向（例えば、図２１Ｂを参照されたい）であり得、第２の配向は、流動的密封配向（例えば、図２１Ａを参照されたい）であり得る。
【０１０２】
例えば、図２１Ｂに見られるように、エンドキャップバイパスプラグ１０’の環状本体１２’の上面１２ａ’が、エンドキャップ１０２ａの環状本体１０４の下面１０４ｂに対して対向離間関係に配置されるとき、エンドキャップアセンブリ１００の非密封配向が画定／実現され、このような配向で配置されるとき、流体Ｆは、（１）エンドキャップ１０２ａの環状本体１０４の上面１０４ａの周辺から、（２）エンドキャップ１０２ａの上面１０４ａによって形成される上部開口部１０８ａ内に流れ、（３）軸方向流体流路ＦAに沿って軸方向に軸路１０６内を通って流れ、（４）エンドキャップ１０２ａの下面１０４ｂによって形成される下部開口部１０８ｂから外に流れ、（５）半径方向に、少なくとも１つの半径方向通路３８’内を幹部１６’の外向面２０’を超えて半径方向流体流路ＦRに沿って流れ、かつ（６）エンドキャップ１０２ａの環状本体１０４の下面１０４ｂの周辺を流れることが許容される。エンドキャップ１０２ａの軸路１０６とエンドキャップバイパスプラグ１０’の少なくとも１つの半径方向通路３８’との協働の結果として、集合的に、軸路１０６および少なくとも１つの半径方向通路３８’は、（エンドキャップアセンブリ１００の少なくとも１つの流体流バイパス通路１１０に類似する）少なくとも１つの流体流バイパス通路を含むように、エンドキャップアセンブリ１００を画定し得る。
【０１０３】
例えば、図２１Ａにおいて見られるように、エンドキャップバイパスプラグ１０’の環状本体１２’の上面１２ａ’が、エンドキャップ１０２ａの環状本体１０４の下面１０４ｂと近接関係で配置されるとき、エンドキャップアセンブリ１００密封配向は、画定／実現されるが、一方でまた、エンドキャップ１０２ａの上面１０４ａおよび下面１０４ｂによってそれぞれ形成される上部開口部１０８ａおよび下部開口部１０８ｂの両方を閉鎖して流動的に密閉し、このような配向で配置されるとき、流体Ｆは、（１）エンドキャップ１０２ａの環状本体１０４の上面１０４ａの周辺に留まり、結果として、（２）エンドキャップ１０２ａの上面１０４ａによって形成される上部開口部１０８ａ内に流れ、（３）軸方向流体流路Ｆaに沿って軸方向に軸路１０６を通って流れ、（４）エンドキャップ１０２ａの下面１０４ｂによって形成される下部開口部１０８ｂから外に流れ、（５）半径方向に、少なくとも１つの半径方向通路３８内を半径方向流体流路ＦRに沿って、幹部１６の外向面２０を超えて流れることは許容されない。したがって、流体Ｆは、（６）エンドキャップ１０２ａの環状本体１０４の下面１０４ｂの周辺に配置されることを許容されず、結果として、流体Ｆは、（６ａ）エンドキャップ１０２ａの環状本体１０４の上面１０４ａの周辺に留まる。
【０１０４】
いくつかの実現形態において、エンドキャップバイパスプラグ１０’の環状本体１２’の上面１２ａ’は、上に図４’〜５’に示され、説明されるように密封部材３６に実質的に類似である密封部材を含み得る。図示されないが、（上の図２１Ａ〜２１Ｂで説明されるエンドキャップ１０２ａおよびエンドキャップバイパスプラグ１０’を含む）エンドキャップアセンブリ１００は、フィルタアセンブリを形成することからフィルタ媒体（例えば、図１２〜１４のフィルタ媒体２０２を参照されたい）に接合され得る。フィルタアセンブリはまた、下部エンドキャップ（例えば、図１２〜１４の下部エンドキャップ１０２ｂを参照されたい）を含み得る。フィルタアセンブリは、エンクロージャ（例えば、図１５Ａ〜１５Ｇのエンクロージャ３００を参照されたい）内に配置され得、上の図１５Ｅ〜１５Ｇで説明されるように、実質的に類似の方法で機能する。
【０１０５】
図２２を参照して、エンドキャップバイパスプラグ１０’’は、上面１２ａ’’と、下面１２ｂ’’と、上面１２ａ’’と下面１２ｂ’’とを接合する外側面１２ｃ’’とを有する環状本体１２’’を含む。環状本体１２’’の外側面１２ｃ’’は、エンドキャップバイパスプラグ１０’’の寸法（例えば、図２３に見られる直径Ｄ12c’’）を画定し得る。中心軸Ａ−Ａは、バイパスプラグ１０’’の環状本体１２’’の軸の中心Ｃ１２’’を通って軸方向に延在し得る。
【０１０６】
脚部材１４’’は、環状本体１２’’の１つ以上の上面１２ａ’’および下面１２ｂ’’と一体であり、それから離れて延在し得る。脚部材１４’’は、少なくとも１つの上部脚部材１４ａ’’および少なくとも１つの下部脚部材１４ｂ’’を含み得る。少なくとも１つの上部脚部材１４ａ’’は、環状本体１２’’の上面１２ａ’’から延在し得る。少なくとも１つの下部脚部材１４ｂ’’は、環状本体１２’’の下面１２ｂ’’から延在し得る。一実現形態において、少なくとも１つの脚部材１４ａ’’、１４ｂ’’は、４つの上部脚部材１４ａ1’’〜１４ａ4’’および１つの下部脚部材１４ｂ1’’をそれぞれ含むように画定され得る。エンドキャップバイパスプラグ１０’’は、少なくとも１つの上部脚部材１４ａ’’および少なくとも１つの下部脚部材１４ｂ’’を有する脚部材１４’’を含むことが説明されているが、いくつかの実現形態において、少なくとも１つの下部脚部材１４ｂ’’は、エンドキャップバイパスプラグ１０’’の設計から省略され得る。
【０１０７】
一実現形態において、少なくとも１つの上部脚部材１４ａ’’の各脚部材１４ａ1’’〜１４ａ4’’は、可撓性の幹部１６’’を含む。可撓性の幹部１６’’は、環状本体１２’’の上面１２ａ’’から離れるように延びる。上で説明されるエンドキャップバイパスプラグ１０、１０’とは異なり、一実現形態において、少なくとも１つの上部脚部材１４ａ’’の脚部材１４ａ1’’〜１４ａ4’’は、円筒状本体を実質的に画定する１つの可撓性の幹部１６’’を形成し／から延在し、結果として、可撓性の幹部１６’’は、内向面（エンドキャップバイパスプラグ１０、１０’の１８、１８’を参照されたい）を含まず、むしろ、外向面２０’’を含む。外向面２０’’は、円形形状を含むように可撓性の幹部１６’’を画定し得る。一実現形態において、下部脚部材１４ｂ1’’は、円筒状幾何学形状を含み得る。
【０１０８】
可撓性の幹部１６’’の外向面２０’’は、（図２３に見られる）半径／半径方向距離ｄ20’’で環状本体１２’’の軸の中心を通って延在する中心軸Ａ−Ａから離間され得る。結果として、外向面２０’’は、寸法（例えば、図２３に見られる直径Ｄ20’’）を含むように、上部脚部材１４ａ1’’の幹部１６’’を画定し得る。
【０１０９】
図２２を参照して、少なくとも１つの上部脚部材１４ａ’’の各脚部材１４ａ1’’〜１４ａ4’’は、頭部２２’’で終了する。頭部２２’’は、上面２４’’を含む。上面２４’’は、弓形形状を含むように各頭部２２’’を画定する。一実現形態において、下部脚部材１４ｂ1’’は、上部脚部材１４ａ1’’に関して上で説明されるように、頭部２２’’を含まない。むしろ、下部脚部材１４ｂ1’’は、同じ参照番号２４’’を、上部脚部材１４ａ1’’の上面２４’’として共有し得る遠位端面を含む。
【０１１０】
少なくとも１つの上部脚部材１４ａ’’の各脚部材１４ａ1’’〜１４ａ4’’の頭部２２’’は、半径方向に外向きに頭部２２’’から延在する鼻部２６’’をさらに含み得る。一実現形態において、鼻部２６’’は、傾斜面２８’’および下面３０’’によって画定され得る。傾斜面２８’’および下面３０’’は、弓形形状を含むように鼻部２６’’を画定する。一実現形態において、下部脚部材１４ｂ1’’は、上で説明されるように鼻部を含まない。
【０１１１】
鼻部２６’’の傾斜面２８’’は、上縁３２’’を画定するように、頭部２２’’の上面２４’’に接続される。上縁３２’’は、弓形に成形され得る。上縁３２’’は、（図２３に見られる）半径／半径方向距離ｄ32’’に環状本体１２’’の軸の中心を通って延在する中心軸Ａ−Ａから離間され得、結果として、上縁３２’’は、エンドキャップバイパスプラグ１０’’の寸法（例えば、図２３に見られる直径Ｄ32’’）を画定する。いくつかの実現形態において、上部脚部材１４ａ1’’の外向面２０’’によって画定される直径Ｄ20’’は、少なくとも１つの上部脚部材１４ａ’’の各脚部材１４ａ1’’〜１４ａ4’’の上縁３２’によって画定される直径Ｄ32’’にほぼ等しいが、僅かにそれ未満であり得る。
【０１１２】
図２３を参照して、いくつかの実現形態において、鼻部２６’’の傾斜面２８’’は、角度θ’’で頭部２２’’の上面２４’’に接続される。一実施例において、角度θ’’は、ほぼ約１２０度に等しくてもよい。
【０１１３】
鼻部２６’’の下面３０’’は、可撓性の幹部１６’’の外向面２０’’および鼻部２６’’の傾斜面２８’’の両方に接続される。場合によっては、鼻部２６’’の下面３０’’は、実質的に垂直配向で可撓性の幹部１６’’の外向面２０’’に接続される。鼻部２６’’の傾斜面２８’’は、下縁３４’’を画定するように鼻部２６’’の下面３０’’に接続される。Ｔ下縁３４’’は、弓形に成形され得る。少なくとも１つの上部脚部材１４ａ’’の各脚部材１４ａ1’’〜１４ａ4’’の各鼻部２６’’の下縁３４’’は、（図２３に見られる）半径／半径方向距離ｄ34’’で環状本体１２’’の軸の中心を通って延在する中心軸Ａ−Ａから離間され得、結果として、少なくとも１つの上部脚部材１４ａ’’の各脚部材１４ａ1’’〜１４ａ4’’の下縁３４’’は、エンドキャップバイパスプラグ１０’’の寸法（例えば、図２３に見られる直径Ｄ34’’）を画定し得る。
【０１１４】
図２３を参照して、いくつかの実現形態において、少なくとも１つの上部脚部材１４ａ’’の４つの脚部材１４ａ1’’〜１４ａ4’’は各々、弓形距離Ｄ14’’によって同程度に離間され得る。弓形距離Ｄ14’’は、それらの間に半径方向流体流路ＦR（例えば、図２７Ｂを参照されたい）を画定する少なくとも１つの半径方向通路３８’’（即ち、４つの半径方向通路３８1’’〜３８4’’）を形成する４つの脚部材１４ａ1’’〜１４ａ4’’の隣接した脚部材をもたらす。該半径方向流体流路は、エンドキャップバイパスプラグ１０’’の軸の中心を通って延在する中心軸Ａ−Ａから参照される。
【０１１５】
エンドキャップバイパスプラグ１０’’がエンドキャップ１０２ａと移動可能に接続されるように、図２７Ａ〜２７Ｂを参照して、エンドキャップアセンブリ１００の実施形態
は、エンドキャップ１０２ａの軸路１０６内に配置されるエンドキャップバイパスプラグ１０’’を含む。エンドキャップバイパスプラグ１０’’が、エンドキャップ１０２ａの軸路１０６内に（下部開口部１０８ｂの方法で）挿入され、エンドキャップバイパスプラグ１０’’とエンドキャップ１０２ａとを接合するとき、エンドキャップバイパスプラグ１０’’は、４つの脚部材１４ａ1’’〜１４ａ4’’の鼻部２６’’が材料的に変形することを許容する変形可能な材料を含み得る。エンドキャップバイパスプラグ１０’’の幹部１６’’は、バイパスプラグ１０’’およびエンドキャップ１０２ａの各々の軸の中心を通って軸方向に延在する、中心軸Ａ−Ａに沿ってエンドキャップ１０２ａの軸路内１０６に移動可能に配置される。エンドキャップ１０２ａは、上の図６〜８に示され、説明されるものと同じ設計を含む。
【０１１６】
エンドキャップバイパスプラグ１０’’は、エンドキャップアセンブリ１００が少なくとも２つの配向のうちの一方で配置されるように構成するために、エンドキャップ１０２ａの軸路１０６内に移動可能に配置されることを許容される。第１の配向は、流動的非密封配向（例えば、図２７Ｂを参照されたい）であり得、第２の配向は、流動的密封配向（例えば、図２７Ａを参照されたい）であり得る。
【０１１７】
例えば、図２７Ｂに見られるように、エンドキャップバイパスプラグ１０’’の環状本体１２’’の上面１２ａ’’が、エンドキャップ１０２ａの環状本体１０４の下面１０４ｂに対して対向離間関係に配置されるとき、エンドキャップアセンブリ１００の非密封配向は画定／実現され、このような配向で配置されるとき、流体Ｆは、（１）エンドキャップ１０２ａの環状本体１０４の上面１０４ａの周辺から、（２）半径方向に、少なくとも１つの半径方向通路３８’’内を半径方向流体流路ＦRに沿って、幹部１６’’の外向面２０’’に向かって流れ、その後、（３）軸方向に、エンドキャップ１０２ａの上面１０４ａによって形成される上部開口部１０８ａ内に流れ、（４）軸方向流体流路ＦAに沿って軸方向に軸路１０６を通って流れ、（５）エンドキャップ１０２ａの下面１０４ｂによって形成される下部開口部１０８ｂから外に流れ、（６）エンドキャップ１０２ａの環状本体１０４の下面１０４ｂの周辺を流れることを許容される。エンドキャップ１０２ａの軸路１０６とエンドキャップバイパスプラグ１０’’の少なくとも１つの半径方向通路３８’’との協働の結果として、集合的に、軸路１０６および少なくとも１つの半径方向通路３８’’は、（エンドキャップアセンブリ１００の少なくとも１つの流体流バイパス通路１１０に類似する）少なくとも１つの流体流バイパス通路を含むように、エンドキャップアセンブリ１００を画定し得る。
【０１１８】
エンドキャップバイパスプラグ１０’’が、少なくとも１つの半径方向通路３８’’を含むように説明されているが、エンドキャップバイパスプラグ１０’’の（例えば、図２７Ａ’〜２７Ｂ’に見られる）いくつかの実現形態は、少なくとも１つの半径方向通路３８’’を含まなくてもよく、それによって、１つの円形形状の脚部材１４ａ1’’を形成しなくてもよい。例えば、図２７Ａ’〜２７Ｂ’に見られるように、頭部２２’’および鼻部２６’’が、少なくとも１つの半径方向通路３８’’を含まない場合、頭部２２’’の上面２４’’は、平らな円形面を形成し得、鼻部２６’’の傾斜面２８’’は、円錐台形面を形成し得る。したがって、（少なくとも１つの半径方向通路３８’’を含まない）エンドキャップバイパスプラグ１０’’は、配向で配置され、（１）エンドキャップバイパスプラグ１０’’の下面３０’’とエンドキャップ１０２ａの上面１０４ａとの間、（２）エンドキャップバイパスプラグ１０’’の上面１２ａ’’とエンドキャップ１０２ａの下面１０４ｂとの間で離間される関係を含むとき、エンドキャップアセンブリ１００は非密封配向で配置されると言ってもよく、幹部１６’’が軸路１０６の直径Ｄ106より小さい直径Ｄ18’’を有する結果として、流体Ｆは、エンドキャップバイパスプラグ１０’’の（図２７Ａ〜２７Ｂの３８’’に見られる）少なくとも１つの半径方向通路内を流れる必要なく、軸路１０６内（およびエンドキャップバイパスプラグ１０’’の幹部１６’’の周辺）を、エンドキャップ１０２ａの上面１０４ａからエンドキャップ１０２ａの下面１０４ｂに向かって、そしてそれを超えて流れることを許容される。このような実現形態において、エンドキャップバイパスプラグ１０’’の下面３０’’は、例えば、バイパス弁３３０から間接的に適用され得るコイルスプリング３４４から起こる、例えば、付勢力Ｆ344などの付勢力を介して、エンドキャップ１０２ａの上面１０４ａに近接して、完全に密封されることから阻止され得る。
【０１１９】
例えば、図２７Ａにみられるように、エンドキャップバイパスプラグ１０’’の環状本体１２’’の上面１２ａ’’は、エンドキャップ１０２ａの環状本体１０４の下面１０４ｂと近接関係で配置されるとき、エンドキャップアセンブリ１００の密封配向は、画定／実現されるが、一方でまた、エンドキャップ１０２ａの下面１０４ｂによって形成される下部開口部１０８ｂを閉鎖して流動的に密閉し、このような配向で配置されるとき、流体Ｆは、（１）エンドキャップ１０２ａの環状本体１０４の上面１０４ａの周辺、（２）エンドキャップ１０２ａの上面１０４ａによって形成される上部開口部１０８ａ内の周辺、（３）軸方向に軸路１０６内の周辺に留まり、結果として、流体Ｆは、（４）エンドキャップ１０２ａの下面１０４ｂによって形成される下部開口部１０８ｂから外に流れることは許容されない。したがって、流体Ｆは、（５）エンドキャップ１０２ａの環状本体１０４の下面１０４ｂの周辺に配置されることを許容されず、結果として、（６）エンドキャップ１０２ａの環状本体１０４の上面１０４ａの周辺に流体Ｆが残る。
【０１２０】
いくつかの実現形態において、エンドキャップバイパスプラグ１０’’の環状本体１２’’の上面１２ａ’’は、上の図４’〜５’に示され、説明される密封部材３６に実質的に類似である密封部材を含み得る。図示されないが、（上の図２７Ａ〜２７Ｂに説明されるようにエンドキャップ１０２ａおよびエンドキャップバイパスプラグ１０’’を含む）エンドキャップアセンブリ１００は、フィルタ媒体（例えば、図１２〜１４のフィルタ媒体２０２）に接合され得、フィルタアセンブリを形成する。フィルタアセンブリはまた、下部エンドキャップ（例えば、図１２〜１４の下部エンドキャップ１０２ｂ）を含む。フィルタアセンブリは、エンクロージャ（例えば、図１５Ａ〜１５Ｇのエンクロージャ３００）内に配置され得、上の図１５Ｅ〜１５Ｇで説明されるように実質的に類似の方法で機能する。
【０１２１】
本発明は、その一定の例示的な実施形態を参照しながら説明してきた。しかしながら、上で説明される例示的な実施形態の形態以外の特定の形態で本発明を具体化することが可能であることは、当業者には容易に明らかであろう。これは、本発明の精神から逸脱することなく行われ得る。例示的な実施形態は単なる例示であり、いかなる方法においても限定的とみなされるべきではない。本発明の範囲は、先行する説明よりもむしろ添付の特許請求の範囲およびその均等物によって定義される。
【図１】
0006567596.tif 000002
【図２】
0006567596.tif 000003
【図３】
0006567596.tif 000004
【図４】
0006567596.tif 000005
【図４−１】
0006567596.tif 000006
【図５】
0006567596.tif 000007
【図５−１】
0006567596.tif 000008
【図６】
0006567596.tif 000009
【図７】
0006567596.tif 000010
【図８】
0006567596.tif 000011
【図９Ａ】
0006567596.tif 000012
【図９Ｂ】
0006567596.tif 000013
【図９Ｂ−１】
0006567596.tif 000014
【図９Ｂ−２】
0006567596.tif 000015
【図９Ｂ−３】
0006567596.tif 000016
【図９Ｂ−４】
0006567596.tif 000017
【図９Ｃ】
0006567596.tif 000018
【図９Ｄ】
0006567596.tif 000019
【図１０】
0006567596.tif 000020
【図１０−１】
0006567596.tif 000021
【図１１】
0006567596.tif 000022
【図１１−１】
0006567596.tif 000023
【図１２】
0006567596.tif 000024
【図１３】
0006567596.tif 000025
【図１４】
0006567596.tif 000026
【図１５Ａ】
0006567596.tif 000027
【図１５Ｂ】
0006567596.tif 000028
【図１５Ｃ】
0006567596.tif 000029
【図１５Ｄ】
0006567596.tif 000030
【図１５Ｅ】
0006567596.tif 000031
【図１５Ｆ】
0006567596.tif 000032
【図１５Ｇ】
0006567596.tif 000033
【図１６】
0006567596.tif 000034
【図１７】
0006567596.tif 000035
【図１８】
0006567596.tif 000036
【図１９】
0006567596.tif 000037
【図２０】
0006567596.tif 000038
【図２１Ａ】
0006567596.tif 000039
【図２１Ｂ】
0006567596.tif 000040
【図２２】
0006567596.tif 000041
【図２３】
0006567596.tif 000042
【図２４】
0006567596.tif 000043
【図２５】
0006567596.tif 000044
【図２６】
0006567596.tif 000045
【図２７Ａ】
0006567596.tif 000046
【図２７Ａ−１】
0006567596.tif 000047
【図２７Ｂ】
0006567596.tif 000048
【図２７Ｂ−１】
0006567596.tif 000049